(57)【要約】  基材に形成した模様と、光遮蔽層に形成した模様が合成され、反射光では観察できず、透過光によって観察したときに潜像が観察されることで偽造防止を図る潜像模様形成体を提供する。  基材の一方の面の少なくとも一部に、基材よりも透過率の高い第１の要素を第１の方向に第１のピッチで複数配置して第１の模様を形成し、第１の要素の位相を部分的に異ならせることによって潜像部と背景部に区分けし、第１の模様が形成される面に、光遮蔽性の材料による光遮蔽層を形成し、光遮蔽層の少なくとも一部に、第２の方向に第２のピッチで複数配置された第２の要素によって第２の模様を形成し、第１の模様と第２の模様が重なるように配置する。
2010110370.tif 000002
【特許請求の範囲】
【請求項１】
基材の一方の面の少なくとも一部に第１の模様が形成され、
i）前記第１の模様は、前記基材よりも透過率の高い第１の要素が第１の方向に第１のピッチで複数配置されており、又は
ii）前記第１の模様は、前記第１の要素が前記第１の方向に前記第１のピッチで複数配置され、前記第１の要素の位相が部分的に異なることによって潜像部と背景部とに区分けされ、又は
iii）前記第１の模様は、前記第１の要素が前記第１の方向に前記第１のピッチで複数配置され、前記第１の要素における単位長さあたりの面積が部分的に異なることによって潜像部と背景部とに区分けされており、
前記第１の模様が形成される面又は前記第１の模様が形成される面と反対側の面に、光遮蔽性の材料による光遮蔽層が形成され、
前記第１の模様が、前記第１の要素を前記第１の方向に前記第１のピッチで複数配置されている前記i）の場合、前記光遮蔽層の少なくとも一部に、第２の方向に第２のピッチで複数配置された第２の要素によって第２の模様が形成され、前記第２の要素の位相が部分的に異なることによって潜像部と背景部に区分けされ、又は
前記第１の模様が、前記第１の要素を前記第１の方向に前記第１のピッチで複数配置されている前記i）の場合、前記光遮蔽層の少なくとも一部に、前記第２の方向に前記第２のピッチで複数配置された前記第２の要素によって前記第２の模様が形成され、前記第２の要素における単位長さあたりの面積が部分的に異なることによって潜像部と背景部に区分けされ、又は
前記第１の模様が、前記第１の要素を前記第１の方向に前記第１のピッチで複数配置され、前記第１の要素の位相が部分的に異なることによって潜像部と背景部とに区分けされる前記ii）の場合、前記光遮蔽層の少なくとも一部に、前記第２の方向に前記第２のピッチで複数配置された前記第２の要素によって前記第２の模様が形成され、又は
前記第１の模様が、前記第１の要素を前記第１の方向に前記第１のピッチで複数配置され、前記第１の要素における単位長さあたりの面積が部分的に異なることによって潜像部と背景部とに区分けされる前記iii）の場合、前記光遮蔽層の少なくとも一部に、前記第２の方向に前記第２のピッチで複数配置された前記第２の要素によって前記第２の模様が形成され、
前記第１の模様と前記第２の模様とが重なり潜像模様が形成されることを特徴とする潜像模様形成体。
【請求項２】
前記第１の方向と前記第２の方向が同じ方向で、かつ、前記第１のピッチと前記第２のピッチが同一又は異なる、又は
前記第１の方向と前記第２の方向が異なる方向で、かつ、前記第１のピッチと前記第２のピッチが同一又は異なることを特徴とする請求項１に記載の潜像模様形成体。
【請求項３】
前記第２のピッチが段階的に異なることを特徴とする請求項１に記載の潜像模様形成体。
【請求項４】
前記第１の模様が、潜像部と背景部に区分けされる前記ii）又はiii）の場合、前記第２の模様を構成する第２の要素が、前記潜像部を構成する第１の要素の少なくとも一部及び／又は前記背景部を構成する第１の要素の少なくとも一部に重ねて配置されることを特徴とする請求項１乃至３のいずれか１項に記載の潜像模様形成体。
【請求項５】
前記i）の場合であって、前記第２の模様が、前記第２の要素の位相が部分的に異なることによって潜像部と背景部に区分けされる場合、前記第１の模様を構成する第１の要素が、前記潜像部を構成する第２の要素の少なくとも一部及び／又は前記背景部を構成する第２の要素の少なくとも一部に重ねて配置されることを特徴とする請求項１乃至３のいずれか１項に記載の潜像模様形成体。
【請求項６】
前記i）の場合であって、前記第２の模様が、前記第２の要素において単位長さあたりの面積が部分的に異なることによって潜像部と背景部に区分けされる場合、前記潜像部を構成する第２の要素の単位長さあたりの面積は、前記背景部を構成する第２の要素の単位長さあたりの面積よりも大きく、前記第１の模様を構成する第１の要素が、前記潜像部を構成する第２の要素のうち前記背景部を構成する第２の要素の単位長さあたりの面積よりも大きい部分の少なくとも一部に重ねて配置されることを特徴とする請求項１乃至３のいずれか１項に記載の潜像模様形成体。
【請求項７】
前記i）の場合であって、前記第２の模様が、前記第２の要素において単位長さあたりの面積が部分的に異なることによって潜像部と背景部に区分けされる場合、前記背景部を構成する第２の要素の単位長さあたりの面積は、前記潜像部を構成する第２の要素の単位長さあたりの面積よりも大きく、前記第１の模様を構成する第１の要素が、前記背景部を構成する第２の要素のうち前記潜像部を構成する第２の要素の単位長さあたりの面積よりも大きい部分の少なくとも一部に重ねて配置されることを特徴とする請求項１乃至３のいずれか１項に記載の潜像模様形成体。
【請求項８】
前記第１の要素、前記第２の要素が画線、画素の少なくとも一つ又はそれぞれの組み合わせから成ることを特徴とする請求項１乃至７のいずれか１項に記載の潜像模様形成体。
【請求項９】
前記第２の模様が形成される面又は前記第２の模様が形成される面と反対側の面に、前記基材と異なる色の色材によって第３の模様が形成されて成り、前記第３の模様は、少なくとも前記第２の要素が形成されない部分に重なるように配置され、
前記第１の模様、前記第２の模様及び前記第３の模様が重なり潜像模様が形成されることを特徴とする請求項１記載の潜像模様形成体。
【請求項１０】
前記第３の模様は、ベタ模様、格子模様又は第３の要素を第３の方向に第３のピッチで複数配置されて成り、
前記第３の要素は、第３の方向に第３のピッチで複数規則的に配置され、又は前記第３の要素の位相を部分的に異ならせることで潜像部と背景部に区分けされ、又は前記第３の要素において単位長さあたりの面積を部分的に異ならせることで潜像部と背景部に区分けされて成ることを特徴とする請求項９記載の潜像模様形成体。
【請求項１１】
前記第３の模様が、少なくとも第３の要素を第３の方向に第３のピッチで複数配置されて成る場合、前記第１の方向、前記第２の方向及び前記第３の方向が同じ方向で、かつ、前記第１のピッチ、前記第２のピッチ及び前記第３のピッチが同一、又は前記第１のピッチ、前記第２のピッチ及び前記第３のピッチのうち、少なくとも一つのピッチが残りのピッチの少なくとも一つと異なることを特徴とする請求項１０に記載の潜像模様形成体。
【請求項１２】
前記第３の模様が、少なくとも第３の要素を第３の方向に第３のピッチで複数配置されて成る場合、前記第１の方向、前記第２の方向及び前記第３の方向のうち、少なくとも一つの方向が、残りの方向の少なくとも一つと異なる方向で、かつ、前記第１のピッチ、前記第２のピッチ及び前記第３のピッチが同一、又は前記第１のピッチ、前記第２のピッチ及び前記第３のピッチのうち、少なくとも一つのピッチが残りのピッチの少なくとも一つと異なることを特徴とする請求項１０に記載の潜像模様形成体。
【請求項１３】
前記第１の模様が、前記第１の要素の位相が部分的に異なることによって潜像部と背景部に区分けされる前記ii）の場合、前記第２の模様を構成する第２の要素が、前記潜像部を構成している第１の要素の少なくとも一部に重なり、前記第３の模様を構成する第３の要素が、前記背景部を構成している第１の要素の少なくとも一部に重ねて配置され、又は前記第２の模様を構成する第２の要素が、前記背景部を構成している第１の要素の少なくとも一部に重なり、前記第３の模様を構成している第３の要素が、前記潜像部を構成している第１の要素の少なくとも一部に重ねて配置され、又は前記第２の模様を構成する第２の要素と前記第３の模様を構成する第３の要素が前記潜像部を構成している第１の要素の少なくとも一部及び前記背景部を構成している第１の要素の少なくとも一部に重ねて配置されるいずれか一つの配置であることを特徴とする請求項１１又は１２に記載の潜像模様形成体。
【請求項１４】
前記i）の場合であって、前記第２の模様が、前記第２の要素の位相が部分的に異なることによって潜像部と背景部に区分けされた場合、前記第１の模様を構成する第１の要素が、前記潜像部を構成している第２の要素の少なくとも一部に重なり、前記第３の模様を構成する第３の要素が、前記背景部を構成している第２の要素の少なくとも一部に重ねて配置され、又は前記第１の模様を構成する第１の要素が、前記背景部を構成している第２の要素の少なくとも一部に重なり、前記第３の模様を構成している第３の要素が、前記潜像部を構成している第２の要素の少なくとも一部に重ねて配置され、又は前記第１の模様を構成する第１の要素と前記第３の模様を構成する第３の要素が前記潜像部を構成している第２の要素の少なくとも一部及び前記背景部を構成している第２の要素の少なくとも一部に重ねて配置されるいずれか一つの配置であることを特徴とする請求項１１又は１２に記載の潜像模様形成体。
【請求項１５】
前記第１の模様が、前記第１の要素において単位長さあたりの面積が部分的に異なることによって潜像部と背景部に区分けされる前記iii）の場合、前記潜像部を構成する第１の要素の単位長さあたりの面積は、前記背景部を構成する第１の要素の単位長さあたりの面積よりも大きく、前記第２の模様を構成する第２の要素が潜像部を構成する第１の要素及び背景部を構成する第１の要素に重ねて配置され、前記第３の模様を構成する第３の要素が、前記潜像部を構成する第１の要素のうち前記背景部を構成する第１の要素の単位長さあたりの面積よりも大きい部分の少なくとも一部に重ねて配置されることを特徴とする請求項１１又は１２に記載の潜像模様形成体。
【請求項１６】
前記第１の模様が、前記第１の要素において単位長さあたりの面積が部分的に異なることによって潜像部と背景部に区分けされる前記iii）の場合、前記背景部を構成する第１の要素の単位長さあたりの面積は、前記潜像部を構成する第１の要素の単位長さあたりの面積よりも大きく、前記第２の模様を構成する第２の要素が潜像部を構成する第１の要素及び背景部を構成する第１の要素に重ねて配置され、前記第３の模様を構成する第３の要素が、前記背景部を構成する第１の要素のうち前記潜像部を構成する第１の要素の単位長さあたりの面積よりも大きい部分の少なくとも一部に重ねて配置されることを特徴とする請求項１１又は１２に記載の潜像模様形成体。
【請求項１７】
前記i）の場合であって、前記第２の模様が、前記第２の要素において単位長さあたりの面積が部分的に異なることによって潜像部と背景部に区分けされた場合、前記潜像部を構成する第２の要素の単位長さあたりの面積は、前記背景部を構成する第２の要素の単位長さあたりの面積よりも大きく、前記第１の模様を構成する第１の要素が、前記潜像部を構成する第２の要素のうち前記背景部を構成する第２の要素の単位長さあたりの面積よりも大きい部分の少なくとも一部に重ねて配置され、前記第３の模様を構成する第３の要素が、前記第１の要素と前記第２の要素が重なる部分に少なくとも重ねて配置されることを特徴とする請求項１１又は１２に記載の潜像模様形成体。
【請求項１８】
前記i）の場合であって、前記第２の模様が、前記第２の要素において単位長さあたりの面積が部分的に異なることによって潜像部と背景部に区分けされた場合、前記背景部を構成する第２の要素の単位長さあたりの面積は、前記潜像部を構成する第２の要素の単位長さあたりの面積よりも大きく、前記第１の模様を構成する第１の要素が、前記背景部を構成する第２の要素のうち前記潜像部を構成する第２の要素の単位長さあたりの面積よりも大きい部分の少なくとも一部に重なり、前記第３の模様を構成する第３の要素が、前記第１の要素と前記第２の要素が重なる部分に少なくとも重ねて配置されることを特徴とする請求項１１又は１２に記載の潜像模様形成体。
【請求項１９】
前記第１の要素が、すき入れ、レーザ加工、エンボス加工又は透明材料を印刷することによって前記基材よりも透過率を高く形成されることを特徴とする請求項１乃至１８のいずれか１項に記載の潜像模様形成体。  
【請求項２０】
前記光遮蔽層が印刷インキ又は金属箔によって形成されることを特徴とする請求項１乃至１９のいずれか１項に記載の潜像模様形成体。
【請求項２１】
前記第１の要素、前記第２の要素及び前記第３の要素が画線、画素の少なくとも一つ、又はそれぞれの組み合わせから成ることを特徴とする請求項９乃至２０のいずれか１項に記載の潜像模様形成体。
【請求項２２】
前記第１の模様の外周における少なくとも一部に隣接するように、前記基材と透過率を異ならせることによって第４の模様が形成され、前記光遮蔽層が、少なくとも透明なエンボス層と金属層とから成るＯＶＤの前記金属層で構成され、前記光遮蔽層に前記第２の模様が形成され、前記光遮蔽層が少なくとも前記第１の模様と前記第４の模様に重畳し、かつ、前記第１の模様と前記第２の模様が重なるように配置され、前記ＯＶＤが前記第４の模様に重なる部分の前記金属層が除去されて成り、前記金属層が除去された部分から前記第４の模様が観察できることを特徴とする請求項１乃至２１のいずれか１項に記載の潜像模様形成体。
【請求項２３】
前記第４の模様の外側における少なくとも一部に隣接するように前記ＯＶＤが形成されることを特徴とする請求項２２記載の潜像模様形成体。
【請求項２４】
前記第１の模様の少なくとも一部が中抜きの形状で形成され、前記第１の模様の内周における少なくとも一部に隣接するように、前記基材と透過率を異ならせることによって前記第４の模様が形成され、前記光遮蔽層が、少なくとも透明なエンボス層と金属層とから成るＯＶＤの前記金属層で構成され、前記光遮蔽層に前記第２の模様が形成され、前記光遮蔽層が少なくとも前記第１の模様と前記第４の模様に重畳し、かつ、前記第１の模様と前記第２の模様が重なるように配置され、前記ＯＶＤが前記第４の模様に重なる部分の前記金属層が除去されて成り、前記金属層が除去された部分から前記第４の模様が観察できることを特徴とする請求項１乃至２３のいずれか１項に記載の潜像模様形成体。
【発明の詳細な説明】
【技術分野】
【０００１】
本発明は、銀行券、株券、有価証券、通行券、パスポート、商品券及びカード等の偽造防止が要求される貴重印刷物に適用する潜像模様形成体である。
【背景技術】
【０００２】
銀行券、株券、債券等の有価証券、カード、各種証明書及び重要書類等の貴重印刷物は、その性質上、偽造や改ざんされないことが要求される。その防止策としては、特殊インキによる印刷、ホログラム、スレッド、微小文字印刷等がある。【０００３】
前述の偽造や改ざんの防止策として、本願出願人は、部分的に角度を異にすることによって図柄を表した各種万線模様、レリーフ模様又は双方の模様のいずれかのエンボスによって形成された凹凸形状を有する素材に、一定の間隔を持つ各種万線画線、網点画線又は双方の画線のいずれかを前述の凹凸形状における図柄以外の部分を構成する部分に対して、平行又は傾斜を持たせて印刷した潜像模様形成体の発明を提案している（例えば、特許文献１参照）。【０００４】
一方、絵柄状にパターンニングした光透過部と光反射部を有する光透過反射層を、基材に積層したパターン出現体が提案されている（例えば、特許文献２参照）。該パターン出現体は、光透過部が５〜５０μｍの平行線で形成され、光反射層の割合が１０〜５０％で形成されることによって、反射光下による観察では、絵柄が識別できず、透かして観察することによって絵柄を識別することができ、これによって、真偽判別することができるものである。【０００５】
また、光透過反射層を利用して、透過光下において絵柄を観察することができるシートとして、本出願人は、光透過性基材の一方の面に光反射性基材を設け、他方の面に印刷パターンを設けた印刷物を提案している（例えば、特許文献３参照）。該光反射性基材には、光を透過する微細な点群を８０〜２００μｍで形成し、基材を不透明度が９０％以下の材料で構成することによって、透かして観察したときに、印刷パターンを視認することができるものである。
【先行技術文献】
【特許文献】
【０００６】
【特許文献１】特許第２６１５４０１号公報
【特許文献２】特許第４０６００８０号公報
【特許文献３】特開２００３−２２６０８５号公報
【発明の概要】
【０００７】
しかしながら、特許文献１の発明は、万線画線が印刷された面を傾けて観察すると潜像が観察されて、真偽判別が可能であるとともに偽造防止を図るものであるが、近年の基材への加工技術及び印刷技術の高度化により、複製される可能性があり、更なる偽造防止を図る必要がある。
【０００８】
また、特許文献２の発明は、透過光下において潜像を観察することができるものであるが、ＯＶＤに光透過部を形成する方法は公知の技術であり、例えば、市販のレーザ加工機を用いることによって、ＯＶＤに光透過部を形成することができる。したがって、基材に光透過部を有するＯＶＤを貼り付けるという構成だけでは、複製される危険性がある。さらに、特許文献２の発明は、光透過部を有するＯＶＤを剥離させて別の基材に貼り付けることで偽造や改ざんがされるという問題がある。
【０００９】
また、特許文献３の発明においても、前述のようにＯＶＤに微細な点群を形成する方法は公知の技術であり、微細な点群を形成したＯＶＤを基材に積層することは容易である。また、基材に形成される印刷パターンの形成方法においても公知の印刷方法であり、複製することは容易である。さらに、ＯＶＤに形成される微細な点群と基材に形成される印刷パターンは、それぞれが独立したパターンであるため、それぞれのパターンを前述する公知の方法により形成することで複製されてしまう危険性がある。
【００１０】
本発明は、前述した課題を解決することを目的とするものであり、基材に形成した凹凸形状による模様と、光遮蔽性基材に形成した模様が合成されることで、透過光下による潜像を観察することができ、従来の透過光下で潜像を観察することができるものと比較して、偽造及び改ざん等の行為を困難とした潜像模様形成体を提供することを目的とする。
【００１１】
前述の課題を解決するために、本発明の潜像模様形成体は、基材の一方の面の少なくとも一部に第１の模様が形成され、i）第１の模様は、基材よりも透過率の高い第１の要素が第１の方向に第１のピッチで複数配置されており、又はii）第１の模様は、第１の要素が第１の方向に第１のピッチで複数配置され、第１の要素の位相が部分的に異なることによって潜像部と背景部とに区分けされ、又はiii）第１の模様は、第１の要素が第１の方向に第１のピッチで複数配置され、第１の要素における単位長さあたりの面積が部分的に異なることによって潜像部と背景部とに区分けされており、第１の模様が形成される面又は第１の模様が形成される面と反対側の面に、光遮蔽性の材料による光遮蔽層が形成され、第１の模様が、第１の要素を第１の方向に第１のピッチで複数配置されているi）の場合、光遮蔽層の少なくとも一部に、第２の方向に第２のピッチで複数配置された第２の要素によって第２の模様が形成され、第２の要素の位相が部分的に異なることによって潜像部と背景部に区分けされ、又は第１の模様が、第１の要素を第１の方向に第１のピッチで複数配置されているi）の場合、光遮蔽層の少なくとも一部に、第２の方向に第２のピッチで複数配置された第２の要素によって第２の模様が形成され、第２の要素における単位長さあたりの面積が部分的に異なることによって潜像部と背景部に区分けされ、又は第１の模様が、第１の要素を第１の方向に第１のピッチで複数配置され、第１の要素の位相が部分的に異なることによって潜像部と背景部とに区分けされるii）の場合、光遮蔽層の少なくとも一部に、第２の方向に第２のピッチで複数配置された第２の要素によって第２の模様が形成され、又は第１の模様が、第１の要素を第１の方向に第１のピッチで複数配置され、第１の要素における単位長さあたりの面積が部分的に異なることによって潜像部と背景部とに区分けされるiii）の場合、光遮蔽層の少なくとも一部に、第２の方向に第２のピッチで複数配置された第２の要素によって第２の模様が形成され、第１の模様と第２の模様とが重なり潜像模様が形成されることを特徴とする。
【００１２】
また、本発明の潜像模様形成体は、第１の方向と第２の方向が同じ方向で、かつ、第１のピッチと前記第２のピッチが同一又は異なる、又は第１の方向と第２の方向が異なる方向で、かつ、第１のピッチと第２のピッチが同一又は異なることを特徴とする。
【００１３】
また、本発明の潜像模様形成体は、第２のピッチが段階的に異なることを特徴とする。
【００１４】
また、本発明の潜像模様形成体は、第１の模様が、潜像部と背景部に区分けされるii）又はiii）の場合、第２の模様を構成する第２の要素が、潜像部を構成する第１の要素の少なくとも一部及び／又は背景部を構成する第１の要素の少なくとも一部に重ねて配置されることを特徴とする。
【００１５】
また、本発明の潜像模様形成体は、i）の場合であって、第２の模様が、第２の要素の位相が部分的に異なることによって潜像部と背景部に区分けされる場合、第１の模様を構成する第１の要素が、潜像部を構成する第２の要素の少なくとも一部及び／又は背景部を構成する第２の要素の少なくとも一部に重ねて配置されることを特徴とする。
【００１６】
また、本発明の潜像模様形成体は、i）の場合であって、第２の模様が、第２の要素において単位長さあたりの面積が部分的に異なることによって潜像部と背景部に区分けされる場合、潜像部を構成する第２の要素の単位長さあたりの面積は、背景部を構成する第２の要素の単位長さあたりの面積よりも大きく、第１の模様を構成する第１の要素が、潜像部を構成する第２の要素のうち背景部を構成する第２の要素の単位長さあたりの面積よりも大きい部分の少なくとも一部に重ねて配置されることを特徴とする。
【００１７】
また、本発明の潜像模様形成体は、i）の場合であって、第２の模様が、第２の要素において単位長さあたりの面積が部分的に異なることによって潜像部と背景部に区分けされる場合、背景部を構成する第２の要素の単位長さあたりの面積は、潜像部を構成する第２の要素の単位長さあたりの面積よりも大きく、第１の模様を構成する第１の要素が、背景部を構成する第２の要素のうち潜像部を構成する第２の要素の単位長さあたりの面積よりも大きい部分の少なくとも一部に重ねて配置されることを特徴とする。
【００１８】
また、本発明の潜像模様形成体は、第２の模様が形成される面又は第２の模様が形成される面と反対側の面に、基材と異なる色の色材によって第３の模様が形成されて成り、第３の模様は、少なくとも第２の要素が形成されない部分に重なるように配置され、第１の模様、第２の模様及び第３の模様が重なり潜像模様が形成されることを特徴とする。
【００１９】
また、本発明の潜像模様形成体は、第３の模様がベタ模様、格子模様又は、第３の要素を第３の方向に第３のピッチで複数配置されて成る若しくは、第３の要素を第３の方向に第３のピッチで複数配置され、第３の要素の位相が部分的に異なる又は第３の要素において単位長さあたりの面積が部分的に異なることによって潜像部と背景部に区分けて成ることを特徴とする。
【００２０】
また、本発明の潜像模様形成体は、第３の模様が少なくとも第３の要素を第３の方向に第３のピッチで複数配置されて成る場合、第１の方向、第２の方向及び第３の方向が同じ方向で、かつ、第１のピッチ、第２のピッチ及び第３のピッチが同一又は第１のピッチ、第２のピッチ及び第３のピッチのうち、少なくとも一つのピッチが残りのピッチの少なくとも一つと異なることを特徴とする。
【００２１】
また、本発明の潜像模様形成体は、第３の模様が少なくとも第３の要素を第３の方向に第３のピッチで複数配置されて成る場合、第１の方向、第２の方向及び第３の方向のうち、少なくとも一つの方向が、残りの方向の少なくとも一つと異なる方向で、かつ、第１のピッチ、第２のピッチ及び第３のピッチが同一、又は第１のピッチ、第２のピッチ及び第３のピッチのうち、少なくとも一つのピッチが残りのピッチの少なくとも一つと異なることを特徴とする。
【００２２】
また、本発明の潜像模様形成体は、第１の模様が、第１の要素の位相が部分的に異なることによって潜像部と背景部に区分けされるii）の場合、第２の模様を構成する第２の要素が、潜像部を構成している第１の要素の少なくとも一部に重なり、第３の模様を構成する第３の要素が、背景部を構成している第１の要素の少なくとも一部に重ねて配置され、又は第２の模様を構成する第２の要素が、背景部を構成している第１の要素の少なくとも一部に重なり、第３の模様を構成している第３の要素が、潜像部を構成している第１の要素の少なくとも一部に重ねて配置され、又は第２の模様を構成する第２の要素と第３の模様を構成する第３の要素が潜像部を構成している第１の要素の少なくとも一部及び背景部を構成している第１の要素の少なくとも一部に重ねて配置されるいずれか一つの配置であることを特徴とする。
【００２３】
また、本発明の潜像模様形成体は、i）の場合であって、第２の模様が、第２の要素の位相が部分的に異なることによって潜像部と背景部に区分けされた場合、第１の模様を構成する第１の要素が、潜像部を構成している第２の要素の少なくとも一部に重なり、第３の模様を構成する第３の要素が、背景部を構成している第２の要素の少なくとも一部に重ねて配置され、又は第１の模様を構成する第１の要素が、背景部を構成している第２の要素の少なくとも一部に重なり、第３の模様を構成している第３の要素が、潜像部を構成している第２の要素の少なくとも一部に重ねて配置され、又は第１の模様を構成する第１の要素と第３の模様を構成する第３の要素が潜像部を構成している第２の要素の少なくとも一部及び背景部を構成している第２の要素の少なくとも一部に重ねて配置されるいずれか一つの配置であることを特徴とする。
【００２４】
また、本発明の潜像模様形成体は、第１の模様が、第１の要素において単位長さあたりの面積が部分的に異なることによって潜像部と背景部に区分けされるiii）の場合、潜像部を構成する第１の要素の単位長さあたりの面積は、背景部を構成する第１の要素の単位長さあたりの面積よりも大きく、第２の模様を構成する第２の要素が潜像部を構成する第１の要素及び背景部を構成する第１の要素に重ねて配置され、第３の模様を構成する第３の要素が、潜像部を構成する第１の要素のうち背景部を構成する第１の要素の単位長さあたりの面積よりも大きい部分の少なくとも一部に重ねて配置されることを特徴とする。
【００２５】
また、本発明の潜像模様形成体は、第１の模様が、第１の要素において単位長さあたりの面積が部分的に異なることによって潜像部と背景部に区分けされるiii）の場合、背景部を構成する第１の要素の単位長さあたりの面積は、潜像部を構成する第１の要素の単位長さあたりの面積よりも大きく、第２の模様を構成する第２の要素が潜像部を構成する第１の要素及び背景部を構成する第１の要素に重ねて配置され、第３の模様を構成する第３の要素が、背景部を構成する第１の要素のうち潜像部を構成する第１の要素の単位長さあたりの面積よりも大きい部分の少なくとも一部に重ねて配置されることを特徴とする。
【００２６】
また、本発明の潜像模様形成体は、i）の場合であって、第２の模様が、第２の要素において単位長さあたりの面積が部分的に異なることによって潜像部と背景部に区分けされた場合、潜像部を構成する第２の要素の単位長さあたりの面積は、背景部を構成する第２の要素の単位長さあたりの面積よりも大きく、第１の模様を構成する第１の要素が、潜像部を構成する第２の要素のうち背景部を構成する第２の要素の単位長さあたりの面積よりも大きい部分の少なくとも一部に重ねて配置され、第３の模様を構成する第３の要素が、第１の要素と第２の要素が重なる部分に少なくとも重ねて配置されることを特徴とする。
【００２７】
また、本発明の潜像模様形成体は、i）の場合であって、第２の模様が、第２の要素において単位長さあたりの面積が部分的に異なることによって潜像部と背景部に区分けされた場合、背景部を構成する第２の要素の単位長さあたりの面積は、潜像部を構成する第２の要素の単位長さあたりの面積よりも大きく、第１の模様を構成する第１の要素が、背景部を構成する第２の要素のうち潜像部を構成する第２の要素の単位長さあたりの面積よりも大きい部分の少なくとも一部に重なり、第３の模様を構成する第３の要素が、第１の要素と前記第２の要素が重なる部分に少なくとも重ねて配置されることを特徴とする。
【００２８】
また、本発明の潜像模様形成体は、第１の要素がすき入れ、レーザ加工、エンボス加工又は透明材料を印刷することによって基材よりも透過率を高く形成されることを特徴とする。
【００２９】
また、本発明の潜像模様形成体は、光遮蔽層が印刷インキ若しくは金属材料を含む箔、層又はインキによって形成されることを特徴とする。
【００３０】
また、本発明の潜像模様形成体は、第１の要素及び／又は第２の要素及び／又は第３の要素が画線、画素の少なくとも一つ、又はそれぞれの組み合わせから成ることを特徴とする。
【００３１】
また、本発明の潜像模様形成体は、第１の模様における外周の少なくとも一部に隣接するように、基材と透過率を異ならせることによって第４の模様が形成され、光遮蔽層が、少なくとも透明なエンボス層と金属層とから成るＯＶＤの金属層で構成され、光遮蔽層に第２の模様が形成され、光遮蔽層が少なくとも第１の模様と第４の模様に重畳し、かつ、第１の模様と第２の模様が重なるように配置され、ＯＶＤが第４の模様に重なる部分の金属層が除去されて成り、金属層が除去された部分から第４の模様を観察することができることを特徴とする。
【００３２】
また、本発明の潜像模様形成体は、第４の模様における外側の少なくとも一部に隣接するようにＯＶＤが形成されることを特徴とする。
【００３３】
また、本発明の潜像模様形成体は、第１の模様の少なくとも一部が中抜きの形状で形成され、第１の模様における内周の少なくとも一部に隣接するように、基材と透過率を異ならせることによって第４の模様が形成され、光遮蔽層が少なくとも透明なエンボス層と金属層とから成るＯＶＤの金属層で構成され、光遮蔽層に第２の模様が形成され、光遮蔽層が少なくとも第１の模様と第４の模様に重畳し、かつ、第１の模様と第２の模様が重なるように配置され、ＯＶＤが第４の模様に重なる部分の金属層が除去されて成り、金属層が除去された部分から第４の模様を観察することができることを特徴とする。
【００３４】
本発明の潜像模様形成体は、基材に凹凸形状で形成される模様と、光遮蔽性基材に形成される模様の合成によって潜像を構成しているため、構造が複雑であることから、貴重印刷物の偽造を困難とすることができる。
【００３５】
また、従来にある光透過部を有するＯＶＤを剥離させて別の基材に貼り替えたとしても、貼り付けた基材に凹凸形状による模様が形成されていないため、その合成による潜像が現れず、これによって、真偽判別を行うことができる。
【図面の簡単な説明】
【００３６】
【図１】第１の実施の形態の潜像模様形成体の平面図。
【図２】第１の実施の形態の潜像模様形成体の断面図。
【図３】第１の模様を示す図。
【図４】画線で構成される第１の要素の例を示す図。
【図５】画素で構成される第１の要素の例を示す図。
【図６】第１の模様を示す図。
【図７】潜像部と背景部を構成する第１の要素の面積の関係を示す図。
【図８】第１の模様の潜像部と背景部を示す図。
【図９】潜像部と背景部を構成する第１の要素の構成を示す図。
【図１０】潜像部と背景部を構成する第１の要素の構成を示す図。
【図１１】潜像部を構成する第１の要素と背景部を構成する第１の要素の画線の幅の関係を示す図。
【図１２】第２の模様を示す図。
【図１３】第１の模様に対して傾けて形成された第２の模様を示す図。
【図１４】第１の要素と第２の要素の画線の幅の関係を示す図。
【図１５】第１の模様と第２の模様の大きさの関係を示す図。
【図１６】第１の模様と第２の模様の配置を示す図。
【図１７】第１の要素と第２の要素の配置を示す図。
【図１８】第１の要素と第２の要素の配置を示す図。
【図１９】反射光下及び透過光下により観察した場合に得られる画像を示す図。
【図２０】透過光下により観察した場合に得られる画像を示す図。
【図２１】第４の模様を示す図。
【図２２】第４の模様の形状の例を示す図。
【図２３】第１の模様と第４の模様の配置の例を示す図。
【図２４】第１の模様と第４の模様の配置の例を示す図。
【図２５】第４の模様を囲むように光遮蔽層を設けた状態を示す図。
【図２６】第２の実施の形態の潜像模様形成体の平面図。
【図２７】第２の実施の形態の潜像模様形成体の断面図。
【図２８】第３の模様を示す図。
【図２９】第１の模様に対して傾けて形成された第３の模様を示す図。
【図３０】第１の要素、第２の要素及び第３の要素の画線の幅の関係を示す図。
【図３１】第１の模様と第３の模様の大きさの関係を示す図。
【図３２】第１の模様と第３の模様の配置を示す図。
【図３３】第１の要素、第２の要素及び第３の要素の配置を示す図。
【図３４】第１の要素、第２の要素及び第３の要素の配置を示す図。
【図３５】第１の要素、第２の要素及び第３の要素の配置を示す図。
【図３６】第１の要素、第２の要素及び第３の要素の配置を示す図。
【図３７】第１の要素、第２の要素及び第３の要素の配置を示す図。
【図３８】反射光下及び透過光下により観察した場合に得られる画像を示す図。
【図３９】透過光下により観察した場合に得られる画像を示す図。
【図４０】透過光下により観察した場合に得られる画像を示す図。
【図４１】透過光下により観察した場合に得られる画像を示す図。
【図４２】透過光下により観察した場合に得られる画像を示す図。
【図４３】実施例１２の基材に形成する第３の模様と第４の模様を示す図。
【図４４】実施例１２の光遮蔽層に形成する第２の模様を示す図。
【図４５】実施例１２の商品券の構成を示す図。
【図４６】実施例１２の商品券を透過光下により観察した画像を示す図。
【図４７】実施例１３の基材に形成する第３の模様、第４の模様及び彩紋模様図。
【図４８】実施例１３の光遮蔽層の構成を示す図。
【図４９】実施例１３の商品券の構成を示す図。
【図５０】実施例１３の商品券を透過光下により観察した画像を示す図。
【発明を実施するための形態】
【００３７】
本発明を実施するための形態について図面を参照して説明する。しかしながら、本発明は、以下に述べる実施するための形態に限定されるものではなく、特許請求の範囲記載における技術的思想の範囲内であれば、その他のいろいろな実施の形態が含まれる。
【００３８】
（第１の実施の形態）    
第１の実施の形態は、基材（１）の一方の面に第１の模様（３）が形成され、第１の模様（３）が形成される面又は第１の模様（３）が形成される面と反対側の面に光遮蔽層が積層され、光遮蔽層に第２の模様（５）が形成される潜像模様形成体（１０）である。なお、本説明では、基材（１）の一方の面に、すき入れによる第１の模様（３）が形成され、第１の模様（３）が形成された面と反対側の面に光遮蔽層が積層され、光遮蔽層の少なくとも一部に第２の模様（５）が形成される潜像模様形成体（１０）について説明する。
【００３９】
本発明における潜像模様形成体の構成について、図１〜図１８を用いて説明する。また、第１の実施の形態の潜像模様形成体を観察したときに視認される画像を、図１９〜図２０を用いて説明する。
【００４０】
第１の実施の形態の潜像模様形成体（１０）は、図１に示すように、基材（１）に第１の模様（３）と第２の模様（５）が形成されて成り、図１に示すＸ−Ｘ線における断面図である図２に示すように、基材（１）の一方の面に第１の模様（３）が形成され、第１の模様（３）が形成された面と反対側の面に光遮蔽層が積層され、光遮蔽層の少なくとも一部に第２の模様（５）が形成されて成る。
【００４１】
（基材）  
基材（１）としては、紙、フィルム又はプラスチック等を用いれば良い。なお、透過光下において観察される潜像模様のコントラストを得るためには、不透明度が９０％より大きい材料を用いるのが好ましい。
【００４２】
（第１の模様）    
第１の模様（３）は、図３に示すように、基材（１）に、基材（１）よりも透過率が高い第１の要素（３Ａ）が、第１の方向に複数配置されて成る。なお、第１の要素（３Ａ）は、不透明度が９０％以下で形成されるのが好ましい。透過率が高いということは、不透明度が低いということに対応しており、本発明において、基材（１）よりも透過率を高くするということは、不透明度が９０％以下であることを意味している。この理由は、第１の要素（３Ａ）の不透明度が９０％より大きいと、光の透過量が少なくなり、透過光下で観察した場合の潜像模様の視認性が低下するからである。
【００４３】
第１の要素（３Ａ）は、画線又は複数の画素で構成される。本説明において、「画線」とは、直線、破線又は波線等のことである。また、本説明において、「画素」とは、所定の形状を有する文字、数字、記号、図形又はマーク等のことであり、画素の形状は、特に限定されるものではない。
【００４４】
連続する直線による画線で構成される第１の要素（３Ａ）が複数配置された第１の要素（３Ａ）の例を、図４（ａ）に示す。また、破線による画線で構成される第１の模様（３Ａ）が複数配置された第１の模様（３）の例を、図４（ｂ）に示す。波線による画線で構成される第１の要素（３Ａ）が複数配置された第１の模様（３）の例を、図４（ｃ）に示す。画線の幅が連続的に変化する画線で構成される第１の要素（３Ａ）が複数配置された第１の模様（３）の例を、図４（ｄ）に示す。画線の幅が段階的に変化する画線で構成される第１の要素（３Ａ）が複数配置された第１の模様（３）の例を、図４（ｅ）に示す。画線内に図柄が付与された画線で構成される第１の要素（３Ａ）が複数配置された第１の模様（３）の例を、図４（ｆ）に示す。図４（ａ）〜（ｆ）に示す画線の幅（Ｗ１）は、１２０μｍ〜３００μｍで形成され、第１の要素（３Ａ）の第１のピッチ（Ｐ１）は、３００μｍ〜６００μｍで形成される。第１の要素（３Ａ）は、前述した範囲の一定のピッチで第１の要素（３Ａ）を配置しても良いし、前述した範囲のピッチで第１の要素（３Ａ）が配置されるピッチを部分的に異ならせて配置しても良い。  
第１の要素（３Ａ）が画素で構成される場合、第１の要素（３Ａ）は、図５に示すように、図４に示す第１の要素（３Ａ）を構成する画線を、画素で置き換えたものとなる。画素で構成される第１の要素（３Ａ）について、画線で構成される第１の要素（３Ａ）と異なる点について説明する。
【００４５】
文字による画素で構成される第１の要素（３Ａ）が、複数配置された第１の模様（３）の例を図５（ａ）に示す。また、数字による画素で構成される第１の要素（３Ａ）が複数配置された第１の模様（３）の例を図５（ｂ）に示す。また、記号による画素で構成される第１の要素（３Ａ）が複数配置された第１の模様（３）の例を図５（ｃ）に示す。また、図形による画素で構成される第１の要素（３Ａ）が複数配置された第１の模様（１）の例を図５（ｄ）に示す。図５（ａ）〜（ｄ）に示す画素の幅（Ｘ１）及び画素の高さ（Ｗ１）は、１２０μｍ〜３００μｍで形成され、画素のピッチ（ｐ１）は、１２０μｍ〜３００μｍで形成される。なお、前述した範囲の一定ピッチで画素を複数配置して第１の要素（３Ａ）が構成されても良いし、前述した範囲のピッチで画素が配置されるピッチが部分的に異なって第１の要素（３Ａ）が構成されても良い。
【００４６】
以降の説明では、第１の要素（３Ａ）が直線の画線で構成される例で説明する。
【００４７】
第１の模様（３）は、さらに、図３の拡大図に示すように、複数配置された第１の要素（３Ａ）の位相が部分的に異なることにより、潜像部（３ａ）と背景部（３ｂ）に区分けされるように形成されるか、又は図６の拡大図に示すように、複数配置された第１の要素（３Ａ）の単位長さあたりの面積が部分的に異なることにより、潜像部（３ａ）と背景部（３ｂ）に区分けされるように形成される。
【００４８】
本説明において、「単位長さあたりの面積が異なる」とは、図７に示すように、背景部（３ｂ）を構成する第１の要素の単位長さあたりの面積（Ｓ１）と潜像部（３ａ）を構成する第１の要素の単位長さあたりの面積（Ｓ２）が異なることであり、図７（ａ）に示すように、潜像部（３ａ）を構成する第１の要素（３Ａ）の単位長さあたりの面積（Ｓ２）が、背景部（３ｂ）を構成する第１の要素（３Ａ）の単位長さあたりの面積（Ｓ１）より大きくても良いし、図７（ｂ）に示すように、背景部（３ｂ）を構成する第１の要素（３Ａ）の単位長さあたりの面積（Ｓ１）が、潜像部（３ａ）を構成する第１の要素（３Ａ）の単位長さあたりの面積（Ｓ２）より大きくても良い。
【００４９】
なお、本説明において、「第１の方向」とは、基材（１）に第１の要素（３Ａ）が配置される方向のことであり、図３及び図６に示す第１の要素（３Ａ）が配置される方向に限定されず、どの方向であっても良い。
【００５０】
また、本説明において、「潜像部」とは、規則的に配置された第１の要素（３Ａ）の位相が部分的に異なる又は単位長さあたりの面積が部分的に異なることによって現される潜像の図柄の部分であり、「背景部」とは、潜像の図柄に対して背景となる部分である。つまり、図３及び図６に示す第１の模様（３）の潜像部（３ａ）及び背景部（３ｂ）は、図８に示す区分けとなる。なお、潜像部（３ａ）によって現される潜像の図柄は、図８に示す図柄に限定されず、文字、数字、記号、図形又はマーク等で形成されても良い。
【００５１】
複数配置された第１の要素（３Ａ）の位相を部分的に異ならせる構成で、第１の模様（３）が形成される場合、潜像部（３ａ）は、背景部（３ｂ）に対して、以下に示す式１の範囲で位相を異ならせて形成されることが好ましい。  
第１のピッチ（Ｐ１）− 画線の幅（Ｗ１）  ．．．式１
【００５２】
また、図３に示す、潜像部（３ａ）と背景部（３ｂ）を構成する第１の要素（３Ａ）を接続する部分の角度（θ）は、特に限定されるものではない。図９（ａ）に示すように、９０度であっても良いし、図９（ｂ）に示すように、−４５度で下側へ位相を異ならせても良い。
【００５３】
また、潜像部（３ａ）と背景部（３ｂ）を構成する第１の要素（３Ａ）は、図１０に示すように、繋がっていなくても良い。
【００５４】
次に、複数配置された第１の要素（３Ａ）の単位長さあたりの面積を部分的に異ならせることによって潜像部（３ａ）と背景部（３ｂ）に区分けされて成る第１の模様（３）について説明する。なお、単位長さあたりの面積を部分的に異なることについては、前述したが、具体的には、第１の要素（３Ａ）の画線の幅（Ｗ１）を部分的に異ならせることによって、単位長さあたりの面積が異なる構成となる。
【００５５】
本説明では、第１の要素（３Ａ）に対して画線の幅（Ｗ１）が異なって成る潜像部（３ａ）を構成する第１の要素（３Ａ）の幅を画線の幅（Ｗ１ａ）とし、第１の要素（３Ａ）に対して画線の幅（Ｗ１）が異なって成る背景部（３ｂ）を構成する第１の要素（３Ａ）の幅を画線の幅（Ｗ１ｂ）として説明する。
【００５６】
潜像部（３ａ）を構成する第１の要素（３Ａ）の単位長さあたりの面積を、背景部（３ｂ）を構成する第１の要素（３Ａ）の単位長さあたりの面積に対して大きくする場合、図１１（ａ）及び図１１（ｂ）に示すように、潜像部（３ａ）を構成する第１の要素（３Ａ）の画線の幅（Ｗ１ａ）を、背景部（３ｂ）を構成する第１の要素（３Ａ）の画線の幅（Ｗ１）より大きく形成される。このとき、潜像部（３ａ）を構成する第１の要素（３Ａ）の画線の幅（Ｗ１ａ）の範囲は、前述する第１の要素（３Ａ）の画線の幅（Ｗ１）より大きく、かつ、第１のピッチ（Ｐ１）以下である。
【００５７】
また、背景部を構成する第１の要素（３Ａ）の単位長さあたりの面積を、潜像部（３ａ）を構成する第１の要素（３Ａ）の単位長さあたりの面積に対して大きくする場合、図１１（ｃ）及び図１１（ｄ）に示すように、背景部（３ｂ）を構成する第１の要素（３Ａ）の画線の幅（Ｗ１ｂ）を、潜像部（３ａ）を構成する第１の要素（３Ａ）の画線の幅（Ｗ１）より大きく形成される。このとき、背景部（３ｂ）を構成する第１の要素（３Ａ）の画線の幅（Ｗ１ｂ）の範囲は、前述する第１の要素（３Ａ）の画線の幅（Ｗ１）より大きく、かつ、第１のピッチ（Ｐ１）以下である。
【００５８】
次に、基材（１）よりも透過率が高い第１の要素（３Ａ）を形成する方法について説明する。基材（１）に紙を用いる場合は、紙を製造する際に円網等によるすき入れやレーザ加工及びプレス成型により第１の要素（３Ａ）を形成すれば良い。また、透明材料を紙に印刷することにより第１の要素（３Ａ）を形成することもできる。このような透明材料としては、ポリブタジエン、ポリイソプレン及びポリイソブチレン等の合成樹脂をインキ用溶剤と混合したものを用いることができる。また、基材（１）にフィルム及びプラスチックを用いる場合には、レーザ加工及びプレス成型により、第１の要素（３Ａ）を形成すれば良い。
【００５９】
（第２の模様）
第２の模様（５）は、図１２に示すように、基材（１）の第１の模様（３）が形成される面と反対側の面に、光遮蔽材料で成る第２の要素（５Ａ）が第２の方向に複数配置されて成る。なお、第２の要素（５Ａ）は、画線又は複数の画素で構成され、第２の要素（５Ａ）は、第１の要素（３Ａ）と異なる画線又は画素で形成しても良い。第２の要素（５Ａ）の構成は、第１の要素（３Ａ）の構成と同様であるため説明を省略する。また、以降の説明では、第２の要素（５Ａ）が直線の画線で構成される例で説明する。
【００６０】
本説明において、「第２の方向」とは、第２の要素（５Ａ）が配置される方向のことである。本発明の潜像模様形成体（１０）において、第１の方向と第２の方向は同じ方向であっても良いし、第２の方向が第１の方向と異なる方向でも良い。なお、第２の方向を第１の方向に対して異ならせて複数配置された第２の要素（５Ａ）から成る第２の模様（５）の例を図１３に示す。
【００６１】
この場合、第２の要素（５Ａ）は、図１３の拡大図に示すように、第１の要素（３Ａ）が配置される方向を示すＹ−Ｙ線に対して、傾けて形成される。このとき、第１の要素（３Ａ）と第２の要素（５Ａ）の傾斜角（α）は、±０．５度から±３度の範囲で形成される。第１の要素（３Ａ）と第２の要素（５Ａ）の傾斜角（α）の好ましい範囲は、±０．５度から±１．５度である。これは、第１の要素（３Ａ）と第２の要素（５Ａ）の傾斜角（α）が小さい方が、潜像の図柄を視認し易いためである。
【００６２】
第１の要素（３Ａ）の画線の幅（Ｗ１）と第２の要素（５Ａ）の画線の幅（Ｗ２）は、図１４（ａ）及び図１４（ｂ）に示すように、第１の要素（３Ａ）の画線の幅（Ｗ１）が、第２の要素（５Ａ）の画線の幅（Ｗ２）と同じ大きさで形成、第１の要素（３Ａ）の画線の幅（Ｗ１）が、第２の要素（５Ａ）の画線の幅（Ｗ２）より小さく形成又は第１の要素（３Ａ）の画線の幅（Ｗ１）が、第２の要素（５Ａ）の画線の幅（Ｗ２）より大きく形成される構成のいずれでも良い。
【００６３】
潜像部（３ａ）は、図１５（ａ）に示すように、第２の模様（５）よりも小さく形成される。これは、図１５（ｂ）に示すように、潜像部（３ａ）が第２の模様（５）より大きく形成されると潜像の図柄全体を観察することができないためである。好ましくは、潜像部（３ａ）を含む第１の模様（３）は、図１５（ｃ）に示すように、第２の模様（５）と略等しいか、図１５（ｄ）に示すように、第２の模様（５）よりも小さく形成するのが良い。これは、前述のように、潜像部（３ａ）が第２の模様（５）より小さく形成されれば、潜像の図柄全体を観察することができるが、図１５（ａ）に示すように、背景部（３ｂ）の上に第２模様（５）が形成されていない部分が生じると、透過光下において観察するとき、背景部（３ｂ）の上に第２の模様（５）が形成される部分と第２の模様（５）が形成されない部分で、異なった背景のように観察されるからである。
【００６４】
（光遮蔽層）
光遮蔽層は、光遮蔽性の材料によって形成される。光遮蔽性の材料としては、基材（１）に光遮蔽材料を形成した面から透過光下において観察したとき、光遮蔽材料が形成された部分で基材（１）の色を視認することができない又は視認し難い状態を満足できれば、特に限定されるものではないが、好ましくは、金、銀、銅、アルミニウム、チタン等の金属材料を用いるのが良い。これは、仮に光遮蔽層を、プロセスインキのような印刷インキによって形成する場合は、光を遮蔽するために色材を２０μｍより厚くして形成する又は黒系の印刷インキを用いる必要があるのに対して、前述する金属材料で形成する場合は、金属材料自体の光遮蔽効果が高いため、第２の模様（５）の厚さが限定されない。すなわち、最終製品の厚さが第２の模様（５）によって限定されないためである。そして、このような材料を含むインキに応じて、オフセット印刷、凹版印刷、スクリーン印刷、グラビア印刷、インクジェット印刷等の公知の印刷方法によって印刷し、第２の模様（５）を形成することができる。また、前述する金属材料をスパッタリング法のような公知の真空蒸着法により形成することができる。また、光学的変化を有する金属箔、例えばホログラムを用いても良い。
【００６５】
第２の模様（５）を形成する方法について説明する。第２の模様（５）を前述した印刷により付与する場合は、光遮蔽性のインキを用いてオフセット印刷、凹版印刷、スクリーン印刷、グラビア印刷、インクジェット印刷等の公知の印刷方法によって形成すれば良い。また、第２の模様（５）を、前述する金属材料を用いて形成する場合は、公知の真空蒸着法によって形成すれば良い。また、第２の模様（５）が、前述する金属材料で成る箔で形成される場合は、公知のレーザ加工、ディメタライズ加工により、前述の箔に第２の模様（５）を形成すれば良い。
【００６６】
（第１の模様と第２の模様の配置）
第１の模様（３）と第２の模様（５）の配置について、図１６〜図１８を用いて説明する。なお、図１７及び図１８は、第１の要素（３Ａ）及び第２の要素（５Ａ）のみの配置で説明する。また、第１の要素（３Ａ）の画線の幅（Ｗ１）と第２の要素（５Ａ）の画線の幅（Ｗ２）が等しく、第１のピッチ（Ｐ１）と第２のピッチ（Ｐ１）が同じ一定のピッチでそれぞれ配置される例で説明する。
【００６７】
以上の構成で形成される第１の模様（３）と第２の模様（５）は、図１６（ａ）に示すように、第２の模様（５）が潜像部（３ａ）に重なるように配置される。好ましくは、図１６（ｂ）に示すように、潜像部（３ａ）を含む第１の模様（３）が、第２の模様（５）と略等しく形成され、第２の模様（５）が第１の模様（３）全体を覆うように積層する又は図１６（ｃ）に示すように、潜像部（３ａ）を含む第１の模様（３）が、第２の模様（５）より小さく形成され、第２の模様（５）が第１の模様（３）全体を覆うように積層するのが良い。これは、前述のように、潜像部（３ａ）が第２の模様（５）より小さく形成されれば、潜像の図柄全体を観察することができるが、図１６（ａ）に示すように、背景部（３ｂ）の上に第２模様（５）が形成されていない部分が生じると、透過光下において観察するとき、背景部（３ｂ）の上に第２の模様（５）が形成される部分と第２の模様（５）が形成されない部分で、異なった背景のように観察されるからである。  
さらに、第１の模様（３）と第２の模様（５）は、次に説明する二つのいずれかで配置される。
【００６８】
一つ目の配置は、第２の模様（５）を構成する第２の要素（５Ａ）が、潜像部（３ａ）を構成している第１の要素（３Ａ）に重なる又は背景部（３ｂ）を構成している第１の要素（３Ａ）に重なる配置である。第１の模様（３）が、第１の要素（３Ａ）の位相を部分的に異ならせることによって潜像部（３ａ）と背景部（３ｂ）が区分けされる場合において、一つ目の配置とすることができる。なお、この一つ目の配置を「第１の配置」とし、本説明では、図１７に示すように第２の模様（５）を構成する第２の要素（５Ａ）が背景部（３ｂ）を構成している第１の要素（３Ａ）に重なる第１の配置について説明する。図１７に示す第１の配置は、第２の要素（５Ａ）が、第１の模様（３）の背景部（３ｂ）を構成する第１の要素（３Ａ）に重なり、潜像部（３ａ）を構成する第１の要素（３Ａ）には重ならない状態を示している。
【００６９】
二つ目の配置は、第２の模様（５）を構成する第２の要素（５Ａ）が、潜像部（３ａ）を構成している第１の要素（３Ａ）及び背景部（３ｂ）を構成している第１の要素（３Ａ）に重なる配置である。第１の模様（３）が、第１の要素（３Ａ）の位相を部分的に異ならせることによって潜像部（３ａ）と背景部（３ｂ）が区分けされる場合、第２の要素（５Ａ）が第１の要素（３Ａ）に対して傾けて形成される場合及び第１の要素（３Ａ）の画線の幅（Ｗ１）が部分的に異なることによって潜像部（３ａ）と背景部（３ｂ）が区分けされる場合において、二つ目の配置とすることができる。なお、この二つ目の配置を「第２の配置」とし、第１の要素（３Ａ）の位相が部分的に異なることによって潜像部（３ａ）と背景部（３ｂ）が区分けされる第１の模様（３）と第２の模様（５）の第２の配置を図１８（ａ）に示す。なお、図１８（ａ）では、第２の要素（５Ａ）が潜像部（３ａ）に重なる幅を、第２の要素（５Ａ）が背景部（３ｂ）に重なる幅よりも広い状態を示している。透過光下で観察するときの潜像と背景のコントラストを得るためには、このように、第２の要素（５Ａ）が潜像部（３ａ）及び背景部（３ｂ）に重なる幅をそれぞれ異ならせるのが良い。
【００７０】
次に、第２の要素（５Ａ）が第１の要素（３Ａ）に対して傾けて形成される第２の模様（５）と第１の模様（３）の第２の配置を図１８（ｂ）に示す。このとき、第２の模様（５）を構成する第２の要素（５Ａ）は、第１の模様（３）を構成する第１の要素（３Ａ）に対して傾けて形成されているため、図１８（ｂ）に示すように、第２の模様（５）を構成する第２の要素（５Ａ）は、第１の模様（３）の潜像部（３ａ）及び背景部（３ｂ）を構成する第１の要素（３Ａ）に部分的に重なる。
【００７１】
次に、第１の要素（３Ａ）の画線の幅（Ｗ１）が部分的に異なることによって潜像部（３ａ）と背景部（３ｂ）が区分けされる第１の模様（３）と第２の模様（５）の第２の配置について説明する。
【００７２】
潜像部（３ａ）を構成する第１の要素（３Ａ）の画線の幅を、背景部（３ｂ）を構成する第１の要素（３Ａ）の画線の幅よりも大きくして潜像部（３ａ）と背景部（３ｂ）に区分けされた第１の模様（３）と第２の模様（５）の第２の配置を図１８（ｃ）に示す。この場合、図１８（ｃ）に示すように、第２の要素（５Ａ）は、背景部（３ｂ）を構成する第１の要素（３Ａ）とその延長線上にある潜像部（３ａ）を構成する第１の要素（３Ａ）に重なる。なお、図１８（ｃ）では、第２の要素（５Ａ）が背景部（３ｂ）を構成する第１の要素（３Ａ）に重なる画線の幅とその延長線上にある潜像部（３ａ）を構成する第１の要素（３Ａ）に重なる画線の幅が同じ状態を示しているが、図１８（ｄ）に示すように、潜像部（３ａ）を構成する第１の要素（３Ａ）のうち、背景部（３ｂ）を構成する第１の要素（３Ａ）の画線の幅（Ｗ１）よりも大きく形成された部分の一部に第２の要素（５Ａ）が重なり、潜像部（３ａ）を構成する第１の要素（３Ａ）に重なる第２の要素（５Ａ）の画線の幅と背景部（３ｂ）を構成する第１の要素（３Ａ）に重なる第２の要素（５Ａ）の画線の幅が異なる配置としても良い。以降の説明においては、図１８（ｃ）の配置について説明する。
【００７３】
また、背景部（３ｂ）を構成する第１の要素（３Ａ）の画線の幅を、潜像部（３ａ）を構成する第１の要素（３Ａ）の画線の幅よりも大きくして潜像部（３ａ）と背景部（３ｂ）に区分けされた第１の模様（３）と第２の模様（５）の第２の配置を図１８（ｅ）に示す。この場合、図１８（ｅ）に示すように、第２の要素（５Ａ）は、潜像部（３ａ）を構成する第１の要素（３Ａ）とその延長線上にある背景部（３ｂ）を構成する第１の要素（３Ａ）に重なる。なお、図１８（ｅ）では、第２の要素（５Ａ）が潜像部（３ａ）を構成する第１の要素（３Ａ）に重なる画線の幅と背景部（３ｂ）を構成する第１の要素（３Ａ）に重なる画線の幅が同じ状態を示しているが、図１８（ｆ）に示すように、背景部（３ｂ）を構成する第１の要素（３Ａ）のうち、潜像部（３ａ）を構成する第１の要素（３Ａ）の画線の幅（Ｗ１）よりも大きく形成された部分の一部に第２の要素（５Ａ）が重なり、潜像部（３ａ）を構成する第１の要素（３Ａ）に重なる第２の要素（５Ａ）の画線の幅と背景部（３ｂ）を構成する第１の要素（３Ａ）に重なる第２の要素（５Ａ）の画線の幅が異なる配置としても良い。以降の説明においては、図１８（ｅ）の配置について説明する。
【００７４】
（観察画像）
次に、潜像模様形成体（１０）を観察したときに得られる画像について図１９及び図２０を用いて説明する。なお、本発明の潜像模様形成体を観察する環境は、太陽光や蛍光灯又は白熱電球のような通常の照明の下である。なお、以降の説明において、潜像模様形成体（１０）を観察する環境は、前述した環境と同様とする。
【００７５】
潜像模様形成体（１０）を、第２の模様（５）を形成した面の正面から反射光下において観察する場合は、図１９（ａ）に示す第２の模様（５）が観察され、第１の模様（３）の潜像部（３ａ）を視認することができない。第２の模様（５）を構成する第２の要素（５Ａ）の材料がホログラムの場合は、反射光下でホログラムの光学的変化を観察することができる。また、潜像模様形成体（１０）を、第２の模様（５）が形成された面と反対側の面の正面から反射光下において観察した場合には、基材（１）の色が観察され、第１の模様（３）の潜像部（３ａ）を視認することができない（図示せず）。なお、第１の実施の形態の説明において、第２の模様（５）を形成した面の正面から反射光下において観察する場合に得られる画像は、形成した第２の模様（５）がそのまま観察されるため（ホログラムを用いる場合は、ホログラムの光学的変化を観察することができる）、説明を省略する。そして、潜像模様形成体（１０）を、第２の模様（５）を形成した面の正面から透過光下において観察する場合は、図１９（ｂ）に示す第１模様（３）の潜像部（３ａ）を観察することができる。また、潜像模様形成体（１０）を第２の模様（５）を形成した面と反対側の面の正面から透過光下において観察する場合には、基材（１）の色の影響を受けるが、図１９（ｃ）に示すように第１模様（３）の潜像部（３ａ）を観察することができる。
【００７６】
次に、潜像が観察される原理について説明する。本発明の潜像模様形成体（１０）は、第１の模様（３）の潜像部（３ａ）及び背景部（３ｂ）において、第１の要素（３Ａ）が形成された部分で光が透過し、第２の模様（５）において、第２の要素（５Ａ）が形成される部分では光が透過せず、第２の要素（５Ａ）が形成されない部分で光が透過することを利用している。
【００７７】
図１７に示す第１の配置の潜像模様形成体（１０）を、第２の模様（５）が形成された面の正面から透過光下において観察する場合は、まず、基材（１）に第１の要素（３Ａ）が形成された部分で光が透過する。第１の要素（３Ａ）を透過する光は、次に、第２の模様（５）において、第２の要素（５Ａ）が形成される部分では光が遮蔽され、第２の要素（５Ａ）が形成されない部分で光が透過する。このとき、背景部（３ｂ）を構成する第１の要素（３Ａ）は、第２の要素（５Ａ）が重なっているため光が透過せず、潜像部（３ａ）を構成する第１の要素（３Ａ）は、第２の要素（５Ａ）が重なっていないため光が透過する。結果的に、潜像部（３ａ）を構成する第１の要素（３Ａ）が形成された部分が光を多く透過し、図１９（ｂ）に示すような潜像部（３ａ）が明るく、第１の模様（３）が形成されていない領域が暗く視認されることから潜像を観察することができる。
【００７８】
また、図１７に示す、第１の配置の潜像模様形成体（１０）を、第２の模様（５）が形成された面と反対側の面の正面から透過光下において観察する場合は、まず、光遮蔽層において、第２の要素（５Ａ）が形成されない部分で光が透過する。光遮蔽層が形成されている領域を透過する光は、次に、基材（１）において第１の要素（３Ａ）が形成された部分で光が透過する。このとき、背景部（３ｂ）を構成する第１の要素（３Ａ）は、第２の要素（５Ａ）が重なっているため光が透過せず、潜像部（３ａ）を構成する第１の要素（３Ａ）は、第２の要素（５Ａ）が重なっていないため光が透過する。結果的に、潜像部（３ａ）を構成する第１の要素（３Ａ）が形成された部分が光を多く透過し、図１９（ｃ）に示すような潜像部（３ａ）が明るく、第１の模様（３）が形成されていない領域が暗く視認されることから潜像を観察することができる。
【００７９】
なお、前述する潜像模様形成体（１０）を第２の模様（５）が形成された面から透過光下において観察した場合に観察される潜像と第２の模様（５）が形成された面と反対側の面から透過光下において観察した場合に観察することができる潜像は、実際に、階調が反転するものではないが、観察する面を変えることによって、潜像部（３ａ）及び／又は背景部（３ｂ）の色が変化して階調が反転したように観察されることから、本説明では、このように観察することができる潜像を「ポジ状態の潜像」と「ネガ状態の潜像」とし、さらに、潜像模様形成体（１０）の構成を示す断面図において、上側から観察される潜像をポジ状態の潜像、下側から観察することができる潜像をネガ状態の潜像として説明する。また、以降の説明においても同様とし、ポジ状態の潜像のみ図示して説明する。
【００８０】
前述した原理によって、図１８（ａ）に示す第２の配置の潜像模様形成体（１０）を第２の模様（５）が形成された面の正面から透過光下において観察すると、第１の模様（３）の潜像部（３ａ）の一部では、光が透過して周囲よりも明るく見える。ただし、第２の要素（５Ａ）の一部が潜像部（３ａ）を構成する第１の要素（３Ａ）の一部に重なっているため、その部分では光が遮蔽される状態となる。また、第１の模様（３）の背景部（３ｂ）の一部も、光が透過して周囲よりも明るく見える。ただし、第２の要素（５Ａ）の一部が背景部（３ｂ）を構成する第１の要素（３Ａ）の一部に重なっているため、その部分では光が遮蔽される状態となる。このように、第２の配置では、潜像部（３ａ）及び背景部（３ｂ）において光が透過するが、第２の要素（５Ａ）が潜像部（３ａ）を構成する第１の要素（３Ａ）に重なる幅が、第２の要素（５Ａ）が背景部（３ｂ）を構成する第１の要素（３Ａ）に重なる幅よりも広いため、背景部（３ｂ）の方が明るく観察される。結果的に、図２０（ａ）に示すように、潜像部（３ａ）に対して背景部（３ｂ）が明るいポジ状態の潜像を観察することができる。このように、図１８（ｂ）に示す第２の配置の潜像模様形成体（１０）は、透過光下において観察した場合に潜像部（３ａ）と背景部（３ｂ）の明るさの差が第１の配置の潜像模様形成体（１０）よりも小さくなる傾向があるが、潜像を観察することは可能である。
【００８１】
また、前述した原理によって、図１８（ｂ）に示す第２の配置の潜像模様形成体（１０）を透過光下において観察すると、図２０（ｂ）に示すように、グラデーションがかかった潜像が観察される。図１８（ｂ）に示す第２の配置の潜像模様形成体（１０）は、第２の模様（５）を構成する第２の要素（５Ａ）を、第１の模様（３）を構成する第１の要素（３Ａ）に対して傾けることによって、第１の要素（３Ａ）と第２の要素（５Ａ）の重なる部分が変化するため、グラデーションがかかったように観察される。
【００８２】
また、前述した原理によって、図１８（ｃ）に示す第２の配置の潜像模様形成体（１０）を透過光下において観察すると、図２０（ｃ）に示すように、潜像部（３ａ）を構成する第１の要素（３Ａ）のうち背景部（３ｂ）を構成する第１の要素（３Ａ）の画線の幅（Ｗ１）よりも大きく形成された部分において光が透過して潜像を観察することができる。
【００８３】
また、前述した原理によって、図１８（ｅ）に示す第２の配置の潜像模様形成体（１０）を透過光下において観察すると、図２０（ｄ）に示すように、背景部（３ｂ）を構成する第１の要素（３Ａ）のうち潜像部（３ａ）を構成する第１の要素（３Ａ）の画線の幅（Ｗ１）よりも大きく形成された部分において光が透過して潜像を観察することができる。
【００８４】
このように本発明は、透過光下で観察した際に、第１の模様（３）に第２の模様（５）を第１の配置及び第２の配置で重ねたときに、第２の模様（５）が重なっていない領域における第１の模様（３）が形成された部分と形成されていない部分での光の透過光量が異なることを利用し、潜像を観察することができるようにしている。
【００８５】
本説明において、第１の模様（３）と第２の模様（５）の配置と観察される画像については、第１の要素（３Ａ）と第２の要素（５Ａ）が同じ画線の幅で、同じ一定のピッチでそれぞれ配置される例で説明したが、それぞれを異なる画線の幅、ピッチで構成しても、第２の模様（５）が第１の模様（３）に重なる配置は、部分的に第１の配置と第２の配置のいずれかの配置となるため、透過光下において観察すると、潜像を観察することができる。
【００８６】
以上の説明のように、第１の実施の形態の潜像模様形成体（１０）は、基材（１）に形成される第１の模様（３）が、潜像部（３ａ）と背景部（３ｂ）に区分けされ、光遮蔽層に万線状の第２の模様（５）が形成される例であるが、本発明の特徴は、基材（１）で光が透過する第１の要素（３Ａ）が形成された部分と、光遮蔽層で光を遮蔽する第２の要素（５Ａ）が形成されない部分が合成されて潜像模様が観察できるものであるため、その構成を逆にしても良い。すなわち、基材（１）に形成される第１の模様（３）を、図２に示す万線状の模様とし、光遮蔽層に形成される第２の模様（５）を、図１に示す潜像部と背景部に区分けされる構成としても良い。この場合、第１の配置と第２の配置は、図１７と図１８に示す第１の要素（３Ａ）と第２の要素（５Ａ）の符号を入れ替えた状態となり（図示せず）、透過光下において観察すると第２の模様（５）に形成した潜像の図柄を観察することができる。
【００８７】
また、図２１（ａ）に示すように、第１の模様（３）の外周の少なくとも一部に隣接するように、基材（１）と透過率が異なって成る第４の模様（７）を形成又は、図２１（ｂ）に示すように、第１の模様（３）が中抜きの形状で形成され、第１の模様（３）の内周の少なくとも一部に隣接するように第４の模様（７）を形成しても良い。このような第４の模様（７）と組み合わせることによって、構造が複雑となるので、より偽造防止効果を高めることができる。
【００８８】
第４の模様（７）の形状の例を図２２に示す。第４の模様（７）の形状は、図２２に示すように円、楕円、四角又は多角形等で形成することができ、第４の模様（７）は、これに限定されるものではない。第４の模様（７）の領域内には、透過率が部分的に異なって成る、文字、数字、記号、図形又は彩紋模様等を形成して良い（図示せず）。
【００８９】
また、図２１（ａ）では、第１の模様（３）を囲むように第４の模様（７）が配置された例を記載し、図２１（ｂ）では、第１の模様（３）内に第４の模様（７）を配置した例を記載したが、第１の模様（３）の外周の少なくとも一部に隣接する第４の模様（７）の配置は、これに限定されるものではなく、図２３及び図２４に示すように、色々な形態が考えられる。
【００９０】
さらに、図２１（ａ）に示す構成とした場合、図２５に示すように、第１の模様（３）と第４の模様（７）に重畳するように光遮蔽層（４）を基材（１）の上に積層し、第４の模様（７）と重なる部分の光遮蔽層（４）を除去し、透過光下において第４の模様（７）を観察することができる構成としても良い。このような構成とすることによって、構造が複雑となるため、より偽造防止効果を高めることができるとともに、透過光下での潜像模様と第４の模様（７）の視認性を向上させることができる。
【００９１】
（第２の実施の形態）
第２の実施の形態は、基材（１）の一方の面に第１の模様（３）が形成され、第１の模様（３）が形成される面又は第１の模様（３）が形成される面と反対側の面に光遮蔽層が積層され、光遮蔽層に第２の模様（５）が形成され、光遮蔽層の形成される面又は光遮蔽層が積層される面の反対側の面に第３の模様（８）が形成される潜像模様形成体である。なお、本説明では、基材（１）の一方の面に第１の模様（３）が形成され、第１の模様（３）が形成された面と反対側の面に光遮蔽層が積層され、光遮蔽層の少なくとも一部に第２の模様（５）が形成され、第１の模様（３）が形成された面に第３の模様（８）が形成される構成の潜像模様形成体（１０）について説明する。
【００９２】
なお、第２の実施の形態の潜像模様形成体について、第１の実施の形態と異なる点について説明する。
【００９３】
第２の実施の形態について、図２６〜図３７を用いて説明する。また、第２の実施の形態の潜像模様形成体を観察したときに視認される画像を、図３８〜図４２を用いて説明する。
【００９４】
第２の実施の形態の潜像模様形成体（１０）は、図２６に示すように、基材（１）に第１の模様（３）、第２の模様（５）及び第３の模様（８）が形成されて成り、図２６に示すＸ−Ｘ線における断面図である図２７に示すように、基材（１）の一方の面に第１の模様（３）と第３の模様（８）が形成され、第１の模様（３）が形成された面と反対側の面に光遮蔽層が積層され、光遮蔽層の少なくとも一部に第２の模様（５）が形成されて成る。
【００９５】
（第３の模様）
第３の模様（８）は、基材（１）の色と異なる色の色材で成り、第２の模様（５）が形成される面の反対の面に形成する場合、ベタ模様、格子模様又は第３の方向に複数配置されて成る直線であっても良く、第３の模様（８）の一部が第２の模様（５）と重ならない位置に配置されていれば良い。なお、本実施の形態の第３の模様（８）は、図２８に示すように、第３の要素（８Ａ）が第３の方向に複数配置されて成る構成で説明する。なお、第３の要素（８Ａ）は、第１の要素（３Ａ）及び第２の要素（５Ａ）と異なる画線又は画素で形成しても良い。第３の要素（８Ａ）の構成は、第１の要素（３Ａ）の構成と同様であるため、説明を省略する。また、以降の説明では、第３の要素（８Ａ）が直線の画線で構成される例で説明する。
【００９６】
なお、本説明において、「第３の方向」とは、第３の要素（３Ａ）が配置される方向のことであり、本発明の潜像模様形成体（１０）において、第１の方向と第２の方向と第３の方向は同じ方向であっても良いし、第１の方向、第２の方向及び第３の方向のうち、少なくとも一つの方向が、残りの方向の少なくとも一つと異なる方向であっても良い。なお、第３の方向を第１の方向に対して異ならせて複数配置された第３の要素（８Ａ）から成る第３の模様（８）の例を図２９に示す。
【００９７】
この場合、第３の要素（８Ａ）は、図２９の拡大図に示すように、第１の要素（３Ａ）が配置される方向を示すＹ−Ｙ線に対して傾けて形成される。このとき、第１の要素（３Ａ）と第３の要素（８Ａ）の傾斜角（β）は、±０．５度から±３度の範囲で形成される。第１の要素（３Ａ）と第３の要素（８Ａ）の傾斜角（β）の好ましい範囲は、±０．５度から±１．５度である。これは、第１の要素（３Ａ）と第３の要素（８Ａ）の傾斜角（β）が小さい方が、潜像の図柄を視認し易いためである。
【００９８】
第３の要素（８Ａ）の画線の幅（Ｗ３）は、図３０（ａ）に示すように、第１の要素（３Ａ）の画線の幅（Ｗ１）及び第２の要素（５Ａ）の画線の幅（Ｗ２）と同じ大きさで形成、図３０（ｂ）に示すように、第１の要素（３Ａ）の画線の幅（Ｗ１）及び第２の要素（５Ａ）の画線の幅（Ｗ２）より大きく形成、図３０（ｃ）に示すように、第１の要素（３Ａ）の画線の幅（Ｗ１）及び第２の要素（５Ａ）の画線の幅（Ｗ２）より小さく形成、図３０（ｄ）に示すように、第１の要素（３Ａ）の画線の幅（Ｗ１）より小さく、第２の要素（５Ａ）の画線の幅（Ｗ２）より大きく形成、図３０（ｅ）に示すように、第１の要素（３Ａ）の画線の幅（Ｗ１）より大きく、第２の要素（５Ａ）の画線の幅（Ｗ２）より小さく形成される構成のいずれでも良い。
【００９９】
第３の模様（８）は、図３１（ａ）に示すように、潜像部（３ａ）よりも大きく形成するのが好ましい。これは、図３１（ｂ）に示すように、第３の模様（８）が潜像部（３ａ）より小さく形成されると潜像の図柄全体が観察できないためである。好ましくは、第３の模様（８）は、図３１（ｃ）に示すように、第１の模様（３）と略等しいか、図３１（ｄ）に示すように、第１の模様（３）よりも大きく形成するのが良い。これは、前述した第１の模様（３）と第２の模様（５）の関係と同様に、潜像部（３ａ）が第３の模様（８）より小さく形成されれば、潜像の図柄全体を観察することができるが、図３１（ａ）に示すように、背景部（３ｂ）の上に第３の模様（８）が形成されていない部分が生じると、透過光下において観察するとき、背景部（３ｂ）の上に第３の模様（８）が形成される部分と第３の模様（８）が形成されない部分で、異なった背景のように観察されるからである。
【０１００】
第３の模様（８）に用いられる色材は、特に限定されるものではなく、一般的に使用されているプロセスカラーであるシアン、マゼンタ、イエロー及びブラックの少なくとも一つから成るインキ又は他の色の印刷インキを用いることができる。
【０１０１】
第３の模様（８）の形成方法は、オフセット印刷、凹版印刷、スクリーン印刷、グラビア印刷及びインクジェット印刷等の公知の印刷方法を用いることができるが、特に、凹版印刷又はスクリーン印刷によって第３の模様（８）を形成する場合、第３の模様（８）を構成する色材の厚さ、色が光透過性に影響するため、透過光下において観察する際の第３の模様（８）の視認性に応じて、第３の模様（８）を構成する色材の厚さ、色を調整する必要がある。
【０１０２】
（第１の模様、第２の模様及び第３の模様の配置）
第１の模様（３）、第２の模様（５）及び第３の模様（８）の配置について、図３２から図３７を用いて説明する。なお、図３２から図３７は、第１の要素（３Ａ）、第２の要素（５Ａ）及び第３の要素（８Ａ）のみの配置で説明する。また、第１の要素（３Ａ）の画線の幅（Ｗ１）、第２の要素（５Ａ）の画線の幅（Ｗ２）及び第３の要素（８Ａ）の画線の幅（Ｗ３）が等しく、第１のピッチ（Ｐ１）、第２のピッチ（Ｐ１）及び第３のピッチ（Ｐ１）が同じ一定のピッチでそれぞれ配置される例で説明する。
【０１０３】
以上の構成で形成される第３の模様（８）は、図３２（ａ）に示すように、第３の模様（８）が潜像部（３ａ）に重なるように配置される。好ましくは、図３２（ｂ）に示すように、潜像部（３ａ）を含む第１の模様（３）が、第３の模様（８）と略等しく形成され、第３の模様（８）が第１の模様（３）全体を覆うように積層する又は図３２（ｃ）に示すように、潜像部（３ａ）を含む第１の模様（３）が、第３の模様（８）より小さく形成され、第３の模様（８）が第１の模様（３）全体を覆うように積層するのが良い。これは、前述のように、潜像部（３ａ）が第３の模様（８）より小さく形成されれば、潜像の図柄全体を観察することができるが、図３２（ａ）に示すように、背景部（３ｂ）の上に第３模様（８）が形成されていない部分が生じると、透過光下において観察するとき、背景部（３ｂ）の上に第３の模様（８）が形成される部分と第３の模様（８）が形成されない部分で、異なった背景のように観察されるからである。なお、第２の模様（５）が第１の模様（３）に重なる配置は、第１の実施の形態と同様である。
【０１０４】
さらに、第１の模様（３）、第２の模様（５）及び第３模様（８）は、次に説明するいずれかで配置することができる。本説明では、第１の要素（３Ａ）の位相が部分的に異なることによって潜像部（３ａ）と背景部（３ｂ）に区分けされる場合の第１の模様（３）、第２の模様（５）及び第３模様（８）の配置と、第１の要素（３Ａ）の画線の幅（Ｗ１）が部分的に異なることによって潜像部（３ａ）と背景部（３ｂ）に区分けされる場合の第１の模様（３）、第２の模様（５）及び第３模様（８）の配置に分けて説明する。
【０１０５】
第１の模様（３）における第１の要素（３Ａ）の位相が部分的に異なることによって、潜像部（３ａ）と背景部（３ｂ）に区分けされる場合、次に説明する三種類の配置で配置することができる。
【０１０６】
三つ目の配置は、第２の模様（５）を構成する第２の要素（５Ａ）が、第１の模様（３）の潜像部（３ａ）を構成している第１の要素（３Ａ）に重なり、第３の模様（８）を構成する第３の要素（８Ａ）が、第１の模様（３）の背景部（３ａ）を構成している第１の要素（３Ａ）に重なる配置又は第２の模様（５）を構成する第２の要素（５Ａ）が、第１の模様（３）の背景部（３ｂ）を構成している第１の要素（３Ａ）に重なり、第３の模様（８）を構成している第３の要素（８Ａ）が、第１の模様（３）の潜像部（３ａ）を構成している第１の要素（３Ａ）に重なる配置である。第１の方向、第２の方向及び第３の方向が同じ方向の場合において、三つ目の配置とすることができる。
【０１０７】
なお、この三つ目の配置を「第３の配置」とし、本説明では、図３３に示すように第２の模様（５）を構成する第２の要素（５Ａ）が第１の模様（３）の背景部（３ｂ）を構成している第１の要素（３Ａ）に重なり、第３の模様（８）を構成する第３の要素（８Ａ）が、第１の模様（３）の潜像部（３ａ）を構成している第１の要素（３Ａ）に重なる第３の配置について説明する。
【０１０８】
四つ目の配置は、第２の模様（５）を構成する第２の要素（５Ａ）と第３の模様（８）を構成する第３の要素（８Ａ）のいずれか一方が、第１の模様（３）の潜像部（３ａ）を構成している第１の要素（３Ａ）及び第１の模様（３）の背景部（３ｂ）を構成している第１の要素（３Ａ）に重なり、いずれか一方が第１の模様（３）の潜像部（３ａ）を構成している第１の要素（３Ａ）又は第１の模様（３）の背景部（３ｂ）を構成している第１の要素（３Ａ）に重なる配置である。第１の方向、第２の方向及び第３の方向が同じ方向の場合又は第２の方向及び第３の方向のうち一つの方向が、残りの二つの方向と異なる（残りの二つの方向は同じ方向）場合に、四つ目の配置とすることができる。
【０１０９】
なお、この四つ目の配置を「第４の配置」とし、第１の方向、第２の方向及び第３の方向が同じ方向のとき、第１の模様（３）に第２の要素（５Ａ）と第３の要素（８Ａ）が重なる第２の配置を図３４（ａ）に示す。図３４（ａ）では、第２の要素（５Ａ）が第１の模様（３）の背景部（３ｂ）を構成する第１の要素（３Ａ）に重なり、第３の要素（８Ａ）が第１の模様（３）の潜像部（３ａ）を構成している第１の要素（３Ａ）及び第１の模様（３）の背景部（３ｂ）を構成している第１の要素（３Ａ）に重なる状態を示している。
【０１１０】
また、第２の方向及び第３の方向のうち一つの方向が、残りの二つの方向と異なる（残りの二つの方向は同じ方向）場合の第２の配置を図３４（ｂ）に示す。図３４（ｂ）では、第３の要素（８Ａ）が第１の要素（３Ａ）及び第２の要素（５Ａ）に対して傾けて形成された状態を示している。
【０１１１】
五つ目の配置は、第２の模様（５）を構成する第２の要素（５Ａ）と第３の模様（８）を構成する第３の要素（８Ａ）の両方が、第１の模様（３）の潜像部（３ａ）を構成している第１の要素（３Ａ）及び第１の模様（３）の背景部（３ｂ）を構成している第１の要素（３Ａ）に重なる配置である。第１の方向、第２の方向及び第３の方向が同じ方向の場合又は第１の方向、第２の方向及び第３の方向のうち、少なくとも一つの方向が、残りの方向と異なる場合に、五つ目の配置とすることができる。
【０１１２】
なお、この五つ目の配置を「第５の配置」とし、第１の方向、第２の方向及び第３の方向が同じ方向のとき、第１の模様（３）の潜像部（３ａ）と背景部（３ｂ）を構成する第１の要素（３Ａ）に第２の要素（５Ａ）と第３の要素（８Ａ）が重なる第３の配置を図３５（ａ）に示す。この場合、図３５（ａ）に示すように、第２の要素（５Ａ）と第３の要素（８Ａ）が完全に重なってはならないため、第２の要素（５Ａ）と第３の要素（８Ａ）の位相がずれて第１の模様（３）に配置される。
【０１１３】
また、第１の方向に対して、第３の方向が異なり、第１の方向と第２の方向が同じ場合の第３の配置を図３５（ｂ）に示す。この場合、図３５（ｂ）に示すように、第２の要素（５Ａ）が、第１の模様（３）の潜像部（３ａ）を構成している第１の要素（３Ａ）及び第１の模様（３）の背景部（３ｂ）を構成している第１の要素（３Ａ）に重なる。
【０１１４】
また、第１の方向に対して、第２の方向と第３の方向が異なり、第２の方向と第３の方向が同じ場合の第５の配置を図３５（ｃ）に示す。この場合、図３５（ｃ）に示すように、第２の要素（５Ａ）と第３の要素（８Ａ）が完全に重なってはならないため、第２の要素（５Ａ）と第３の要素（８Ａ）の位相がずれて第１の模様（３）に配置される。
【０１１５】
また、第１の方向に対して、第２の方向と第３の方向がそれぞれ異なる場合の第５の配置を図３５（ｄ）に示す。
【０１１６】
続いて、第１の模様（３）が、第１の要素（３Ａ）において画線の幅（Ｗ１）が部分的に異なることによって、潜像部（３ａ）と背景部（３ｂ）に区分けされる場合の第１の模様（３）、第２の模様（５）及び第３模様（８）の配置について説明する。この場合、次に説明する二種類の配置で配置することができる。
【０１１７】
六つ目の配置は、第２の模様（５）を構成する第２の要素（５Ａ）が、潜像部（３ａ）を構成する第１の要素（３Ａ）の一部と背景部（３ｂ）を構成する第１の要素（３Ａ）に重なり、第３の模様（８）を構成する第３の要素（８Ａ）が、潜像部（３ａ）を構成する第１の要素（３Ａ）において、画線の幅が、背景部（３ｂ）を構成する第１の要素（３Ａ）の画線の幅（Ｗ１）に対して大きい部分に少なくとも重なる配置である。
【０１１８】
潜像部（３ａ）を構成する第１の要素（３Ａ）の画線の幅を、背景部（３ｂ）を構成する第１の要素（３Ａ）の画線の幅（Ｗ１）対して大きくする場合に、六つ目の配置とすることができる。
【０１１９】
なお、この配置を「第６の配置」とし、第６の配置における第１の模様（３）、第２の模様（５）及び第３の模様（８）の配置を図３６（ａ）に示す。なお、第６の配置では、図３６（ｂ）に示すように、第２の要素（５Ａ）を第１の要素（３Ａ）及び第３の要素（８Ａ）に対して傾けて配置しても良いし、図３６（ｃ）に示すように、第３の要素（８Ａ）を第１の要素（３Ａ）及び第２の要素（５Ａ）に対して傾けて配置しても良い。
【０１２０】
七つ目の配置は、第２の模様（５）を構成する第２の要素（５Ａ）が、潜像部（３ａ）を構成する第１の要素（３Ａ）と背景部（３ｂ）を構成する第１の要素（３Ａ）の一部に重なり、第３の模様（８）を構成する第３の要素（８Ａ）が、背景部（３ｂ）を構成する第１の要素（３Ａ）において、画線の幅が、潜像部（３ａ）を構成する第１の要素（３Ａ）の画線の幅（Ｗ１）対して大きい部分に少なくとも重なる配置である。背景部（３ｂ）を構成する第１の要素（３Ａ）の画線の幅を、潜像部（３ａ）を構成する第１の要素（３Ａ）の画線の幅（Ｗ１）に対して大きくする場合に、七つ目の配置とすることができる。
【０１２１】
なお、この配置を「第７の配置」とし、第７の配置における第１の模様（３）、第２の模様（５）及び第３の模様（８）の配置を図３７（ａ）に示す。なお、第７の配置では、図３７（ｂ）に示すように、第２の要素（５Ａ）を第１の要素（３Ａ）及び第３の要素（８Ａ）に対して傾けて配置しても良いし、図３７（ｃ）に示すように、第３の要素（８Ａ）を第１の要素（３Ａ）及び第２の要素（５Ａ）に対して傾けて配置しても良い。
【０１２２】
（観察画像）
次に、第２の実施の形態における潜像模様形成体（１０）を観察したときに、得られる画像について図３８〜図４２を用いて説明する。
【０１２３】
図３３に示す第３の配置の潜像模様形成体（１０）を、第２の模様（５）を形成した面の正面から反射光下において観察する場合は、図３８（ａ）に示す第２の模様（５）が観察され、第１の模様（３）の潜像部（３ａ）は視認することができない。第２の模様（５）を構成する第２の要素（５Ａ）の材料がホログラムの場合は、反射光下でホログラムの光学的変化を観察することができる。また、潜像模様形成体（１０）を、第３の模様（８）が形成された面から観察する場合には、図３８（ｂ）に示す、第３の模様（８）が観察される。なお、第２の実施の形態においても、第２の模様（５）を形成した面の正面から反射光下において観察する場合に得られる画像は、形成した第２の模様（５）がそのまま観察されるため（ホログラムを用いる場合は、ホログラムの光学的変化が観察される）、以降の説明は省略する。そして、潜像模様形成体（１０）を、第２の模様（５）を形成した面の正面から透過光下において観察する場合は、図３８（ｃ）に示すような潜像が観察される。また、潜像模様形成体（１０）を第２の模様（５）を形成した面と反対側の面の正面から透過光下において観察する場合には、図３８（ｄ）に示すような潜像が観察される。透過光下において観察した場合に、第１の実施の形態と異なる点は、第３の模様（８）を構成する色材の色が潜像部（３ａ）及び／又は背景部（３ｂ）において観察される点である。
【０１２４】
第２の実施の形態においても、潜像が観察される原理は、第１の実施の形態と同様であり、第１の模様（３）の潜像部（３ａ）及び背景部（３ｂ）において、第１の要素（３Ａ）が形成された部分で光が透過し、第２の模様（５）において、第２の要素（５Ａ）が形成される部分では光が透過せず、第２の要素（５Ａ）が形成されない部分で光が透過することを利用している。
【０１２５】
図３３に示す、第３の配置の潜像模様形成体（１０）を、第２の模様（５）が形成された面の正面から透過光下において観察する場合、潜像部（３ａ）を構成する第１の要素（３Ａ）では、第３の要素（８Ａ）が重なり、第２の要素（５Ａ）が重なっていないため、第３の模様（８）を構成する色材の色で観察される。また、第１の模様（３）の背景部（３ｂ）では、第２の要素（５Ａ）が重なっているため光が遮蔽される。結果的に、潜像部（３ａ）を構成する第１の要素（３Ａ）が形成された部分が光を多く透過し、図３８（ｃ）に示すように、第３の模様（８）を構成する色材の色で潜像部（３ａ）を観察することができる。
【０１２６】
また、図３３に示す、第３の配置の潜像模様形成体（１０）を、第２の模様（５）が形成された面と反対側の面の正面から透過光下において観察する場合、前述のように、潜像部（３ａ）を構成する第１の要素（３Ａ）では、第２の要素（５Ａ）が重なっていないため、周囲よりも明るく見える。また、透過光下において観察する場合であっても、前述した潜像模様形成体（１０）を観察する環境では、詳細には、周囲の光が第３の模様（８）に当たり、その反射光下において第３の模様（８）を観察することができる。結果的に、図３８（ｄ）に示すように、第３の模様（８）が観察される中で、潜像部（３ａ）が周囲より明るく観察することができる潜像を得る。
【０１２７】
また、図３４（ａ）に示す、第４の配置の潜像模様形成体（１０）を、第２の模様（５）を形成した面の正面から透過光下において観察する場合は、図３９（ａ）に示す潜像が観察される。このとき、第３の配置の潜像模様形成体（１０）に対して、潜像部（３ａ）を構成する第１の要素（３Ａ）に重なる第３の要素（８Ａ）の面積が小さいため、第１の配置で観察される潜像より薄い色で潜像が観察される。
【０１２８】
また、図３４（ｂ）に示す、第４の配置の潜像模様形成体（１０）を、第２の模様（５）を形成した面の正面から透過光下において観察する場合は、図３９（ｂ）に示す潜像が観察される。このとき、潜像部（３ａ）のみが、光を透過する配置であり、第３の要素（８Ａ）を第１の要素（３Ａ）に対して傾けることによって、潜像部（３ａ）が、グラデーションがかかったように観察される。
【０１２９】
また、図３５（ａ）に示す第５の配置の潜像模様形成体（１０）を、第２の模様（５）を形成した面の正面から透過光下において観察する場合は、図４０（ａ）に示す潜像が観察される。また、図３５（ｄ）に示す第３の配置の潜像模様形成体（１０）においては、第１の方向、第２の方向及び第３の方向がそれぞれ異なり、第１の要素（３Ａ）、第２の要素（５Ａ）及び第３の要素（８Ａ）が重なる部分が変化するため、図４０（ｂ）に示すグラデーションがかかった潜像が観察される。
【０１３０】
また、図３６（ａ）に示す第６の配置の潜像模様形成体（１０）を、第２の模様（５）を形成した面の正面から透過光下において観察する場合は、図４１に示す潜像が観察される。このときに観察される潜像は、図２０（ｃ）に示す潜像に対して、潜像部（３ａ）が第３の模様（８）を構成する色材の色で観察される。
【０１３１】
また、図３７（ａ）に示す第７の配置の潜像模様形成体（１０）を、第２の模様（５）を形成した面の正面から透過光下において観察する場合は、図４２に示す潜像が観察される。このときに観察される潜像は、図２０（ｄ）に示す潜像に対して、背景部（３ｂ）が第３の模様（８）を構成する色材の色で観察される。
【０１３２】
このように、第２の実施の形態における潜像模様形成体を、透過光下において観察すると、第３の模様（８）を構成する色材の色による潜像部（３ａ）及び／又は背景部（３ｂ）が観察される。
【０１３３】
さらに、本発明において、基材（１）に円網等によるすき入れ、レーザ加工及びプレス成型によって第１の要素（３Ａ）を透過率の高い凹形状で形成し、第１の要素（３Ａ）の上に第３の要素（８Ａ）形成し、光遮蔽層を第１の要素（３Ａ）及び第３の要素（８Ａ）が形成される面と反対側の面に積層する構成とした場合には、特許第２６１５４０１号公報の構成となるため、反射光下において、斜めから観察すると、第３の要素（８Ａ）の一部が第１の要素（３Ａ）における潜像部（３ａ）によって視認することができなくなるため、第１の模様（３）を潜像として観察することができる。
【０１３４】
以上の説明のように、第２の実施の形態の潜像模様形成体（１０）は、基材（１）に形成される第１の模様（３）が潜像部（３ａ）と背景部（３ｂ）に区分けされ、光遮蔽層に万線状の第２の模様（５）が形成される例であるが、基材（１）に形成される第１の模様（３）を、図２に示す万線状の模様とし、光遮蔽層に形成される第２の模様（５）を、図１に示す潜像部と背景部に区分けされる構成としても良い。この場合、第３の配置から第７の配置は、図３３〜図３７で示す第１の要素（３Ａ）と第２の要素（５Ａ）の符号を入れ替えた状態となり（図示せず）、透過光下において観察すると第２の模様（５）に形成した潜像の図柄を観察することができる。
【０１３５】
また、第２の実施の形態における潜像模様形成体（１０）は、第３の模様（８）が、複数配置された第３の要素（８Ａ）によって、万線上の模様で形成される例であるが、図１又は図４に示す第１の模様（３）と同様の構成によって、第３の模様（８）も潜像部と背景部に区分けされる構成としても良い。第２の実施の形態において、第３の模様（８）は、潜像部（３ａ）及び／又は背景部（３ｂ）を、第３の模様（８）を構成する色材の色によって観察させるという効果を果たすものであるから、第３の模様（８）に潜像部と背景部を形成しても、第１の模様（３）に形成した潜像部（３ａ）と背景部（３ｂ）に第３の要素（８Ａ）が部分的に重なるので、透過光下において観察すると、第１の模様（３）に形成した潜像の図柄を観察することができる。このとき、第３の模様（８）に形成される潜像の図柄は、第１の模様（３）又は第２の模様（５）に形成される潜像の図柄と同じ図柄でも良いし、異なる図柄でも良い。第３の模様（８）に潜像部と背景部を形成した場合には、前述したように、第１の模様（３）と第２の模様（５）の構成を逆にして、更に透過率の高い凹形状で成る第１の要素（３Ａ）の上に第３の要素（８Ａ）を形成すると、特許第２６１５４０１号公報の原理によって、反射光下において、斜めから観察すると、第３の要素（８Ａ）の一部が第１の要素（３Ａ）における潜像部（３ａ）によって視認することができなくなるため、第１の模様（３）を潜像として観察することができる。
【０１３６】
また、第２の実施の形態における潜像模様形成体（１０）に対して、更に前述した第４の模様（７）と第４の模様（７）の外周に隣接する光遮蔽層を設ける構成としても良い。
【０１３７】
本説明において、第１の模様（３）、第２の模様（５）及び第３の模様（８）の配置と観察される画像については、第１の要素（３Ａ）、第２の要素（５Ａ）及び第３の要素（８Ａ）が同じ画線の幅で、同じ一定のピッチでそれぞれ配置される例で説明したが、それぞれを異なる画線の幅及び／又はピッチで構成しても良く、第２の模様（５）と第３の模様（８）が第１の模様（３）に重なる配置は、部分的に第３の配置〜第７の配置のいずれかの配置となるため、透過光下において観察すると潜像を観察することができる。また、第３の模様（８）をベタ模様や格子模様（図示せず）とした場合でも、第３の模様（８）が重なる配置は、部分的に第３の配置〜第７の配置のいずれかの配置となるため、透過光下において観察すると潜像を観察することができる。
【実施例１】
【０１３８】
以下、実施例を用いて本発明を更に詳細に説明するが、本発明の内容は、これらの実施例の範囲に限定されるものではない。【０１３９】
実施例１は、第１の実施の形態における構成で作製された潜像模様形成体（１０）である。実施例１の潜像模様形成体（１０）について、第１の実施の形態で説明した図面を用いて説明する。【０１４０】
実施例１の潜像模様形成体（１０）は、図１に示すように、基材（１）の一方の面に第１の模様（３）が形成され、第１の模様（３）が形成された面と反対側の面に光遮蔽層が積層され、光遮蔽層に図２に示す第２の模様（５）が形成されて成る。【０１４１】
図１に示す基材（１）は、坪量が８５ｇ／ｍ２、紙厚が８７μｍ、不透明度が９０％（ＪＩＳ−P８１４９）の褐色の紙材を用いた。また、光遮蔽層には、アルミ箔を用いた。【０１４２】
図１に示す第１の要素（３Ａ）は、画線の幅（Ｗ１）を２５０μｍの直線で構成した。そして、第１のピッチ（Ｐ１）を５００μｍとし、第１の要素（３Ａ）を第１の方向に規則的に複数配置して第１の模様（３）を形成した。さらに、規則的に複数配置した第１の要素（３Ａ）の位相を部分的に異ならせることにより、図８に示すリング型の潜像部（３ａ）と背景部（３ｂ）から成る第１の模様（３）を形成した。なお、第１の模様（３）の形成方法は、抄紙機における湿紙の段階で、円網により透かし模様として形成した。なお、第１の要素（３Ａ）が形成された部分の不透明度は、約５２％（ＪＩＳ−P８１４９）であった。また、第１の模様（３）を構成する第１の要素（３Ａ）の部位の紙厚は、約４０μｍ（デジタルリニアゲージ  ＤＧ−９２５  小野測器製）であった。【０１４３】
図２に示す第２の要素（５Ａ）は、画線の幅（Ｗ２）を２５０μｍの直線で構成した。そして、第２のピッチ（Ｐ１）を５００μｍとし、第２の要素（５Ａ）を第１の方向と同じ第２の方向に規則的に複数配置して第２の模様（５）を形成した。なお、第２の模様（５）の形成方法は、基材（１）にアクリル系の接着剤（スプレーのり  ５５  スリーエム製）を塗布して貼り付けたアルミ箔に対して、レーザ加工器（レーザマーカ  ＭＤ−Ｖ  キーエンス製）を用い、第２の要素（５Ａ）以外の領域を除去することで第２の模様（５）を形成した。【０１４４】
第１の模様（３）及び第２の模様（５）の配置は、図１７に示すように、第１の配置とした。【０１４５】
このようにして作製した実施例１の潜像模様形成体（１０）を、第２の模様（５）が形成された面の正面から反射光下において観察すると、図１９（ａ）に示す第２の模様（５）が観察され、第２の模様（５）が形成された面と反対側の正面から反射光下において観察すると、基材（１）の色が確認された。そして、実施例１の潜像模様形成体（１０）を、第２の模様（５）が形成された面の正面から透過光下において観察すると、図１９（ｂ）に示す潜像が観察され、第２の模様（５）が形成された面と反対側の面の正面から透過光下において観察すると、図１９（ｃ）に示す潜像が観察された。
【実施例２】
【０１４６】
実施例２は、実施例１に対して異なる点のみを説明する。実施例２は、光遮蔽層が金属材料を含むインキで形成され、第２の要素（５Ａ）が画素で構成される潜像模様形成体（１０）である。【０１４７】
実施例２の第２の要素（５Ａ）は、図５（ｄ）に示すマークによる画素で構成した。なお、画素の幅（ｘ１）を２５０μｍ、画素の高さ（Ｗ１）を２５０μｍ、画素のピッチ（ｐ１）を３００μｍで一定のピッチとし第２の要素（５Ａ）を形成した。そして、第２のピッチ（Ｐ１）を５００μｍとし、第２の要素（５Ａ）を規則的に複数配置して第２の模様（５）を形成した。【０１４８】
第２の模様（５）の形成方法は、実施例１と同様である、基材（１）に、銀インキ（Ｔ＆Ｋ  ＴＯＫＡ製  ＵＶ  No.３  シルバー）をベタ刷りし、レーザ加工器（レーザマーカ  ＭＤ−Ｖ  キーエンス製）を用い、第２の要素（５Ａ）以外の領域を除去することで第２の模様（５）を形成した。【０１４９】
このようにして作製した実施例２の潜像模様形成体（１０）を、第２の模様（５）が形成された面の正面から反射光下において観察すると、第２の模様（５）を観察することができた。このとき、第２の要素（５Ａ）を構成する画素の幅（ｘ１）が２５０μｍであるのに対して、画素のピッチ（ｐ１）を３００μｍで形成しており、画素の間隔が５０μｍと小さいため、第２の模様（５）は、直線による第２の要素（５Ａ）で形成された模様と同じように観察された。また、ルーペで拡大して第２の模様（５）を観察すると、マークによる画素を観察することができた。そして、実施例２の潜像模様形成体（１０）を、第２の模様（５）が形成された面の正面から透過光下において観察すると、潜像を観察することができた。
【実施例３】
【０１５０】
実施例３は、実施例１に対して異なる点のみを説明する。実施例３は、複数配置された第１の要素（３Ａ）の画線の幅（Ｗ１）を部分的に異ならせることによって、第１の模様（３）が潜像部（３ａ）と背景部（３ｂ）に区分けされ、第２の要素（５Ａ）が破線による画線で形成される潜像模様形成体（１０）である。【０１５１】
図１２に示す潜像部（３ａ）の画線の幅（Ｗ１ａ）を４００μｍ、背景部（３ｂ）の画線の幅（Ｗ１）を２５０μｍで形成し、図６及び図８に示す潜像部（３ａ）と背景部（３ｂ）から成る第１の模様（３）を形成した。【０１５２】
第２の要素（５Ａ）は、図４（ｂ）に示す画線の幅（Ｗ１）を２５０μｍの破線で構成した。【０１５３】
第１の模様（３）と第２の模様（５）の配置は、図１８（ｃ）に示す第２の配置とし、第２の要素（５Ａ）が、潜像部（３ａ）を構成している第１の要素（３Ａ）と背景部（３ｂ）を構成している第１の要素（３Ａ）に重なる配置とした。このようにして作製した実施例３の潜像模様形成体（１０）を、第２の模様（５）が形成された面の正面から透過光下において観察すると、図２０（ｃ）に示す潜像を観察することができた。
【実施例４】
【０１５４】
実施例４は、実施例１に対して異なる点のみを説明する。実施例４は、第１の要素（３Ａ）の画線の幅（Ｗ１）と第２の要素（５Ａ）の画線の幅（Ｗ２）が異なる潜像模様形成体（１０）である。【０１５５】
実施例４の第１の模様（３）は、実施例１と同じ構成で形成した。図２に示す第２の模様（５）を構成する第２の要素（５Ａ）は、画線の幅（Ｗ２）を３５０μｍの直線で構成し、第２の要素（５Ａ）の画線の幅（Ｗ２）が、第１の要素（３Ａ）の画線の幅（Ｗ１）よりも大きい構成とした。第２の要素（５Ａ）の画線の幅（Ｗ２）は、第１の要素（３Ａ）の画線の幅（Ｗ１）よりも大きいため、第２の要素（５Ａ）は、図１８（ａ）に示すように、第１の模様（３）の潜像部（３ａ）を構成している第１の要素（３Ａ）と背景部（３ｂ）を構成している第１の要素（３Ａ）に重なる配置となった。【０１５６】
このようにして作製した実施例４の潜像模様形成体（１０）を、第２の模様（５）が形成された面の正面から透過光下において観察すると、潜像を観察することができた。
【実施例５】
【０１５７】
実施例５は、実施例１に対して異なる点のみを説明する。実施例５は、第２の要素（５Ａ）を異なるピッチで複数配置して第２の模様（５）が形成される潜像模様形成体（１０）である。【０１５８】
図４に示す第２のピッチ（Ｐ１）を、図１２に示す上側の第２の要素（５Ａ）から順に、６００、５９５、５９０μｍ・・・５１５、５０５、５００μｍと５μｍずつ異ならせて形成した第２の要素（５Ａ）を繰り返して形成し、第２の模様（５）を形成した。実施例５では、第２の要素（５Ａ）を前述のように異なるピッチで複数配置して形成しているため、第２の模様（５）と第１の模様（３）の配置は、第１の実施の形態における第１の配置と第２の配置が混在した状態となる。詳細には、第２の要素（５Ａ）が潜像部（３ａ）及び背景部（３ｂ）を構成する第１の要素（３Ａ）に重なる面積が、徐々に変化する配置となった。【０１５９】
このようにして作製した実施例５の潜像模様形成体（１０）を、第２の模様（５）が形成された面の正面から透過光下において観察すると、グラデーションがかかった潜像を観察することができた。
【実施例６】
【０１６０】
実施例６は、実施例１に対して異なる点のみを説明する。実施例６は、第１の要素（３Ａ）が配置される第１の方向と第２の要素（５Ａ）の配置される第２の方向が異なる潜像模様形成体（１０）である。【０１６１】
図１３に示す第２の模様（５）は、第１の模様（３）に対して、１度傾けて形成した。第２の要素（５Ａ）は、第１の要素（３Ａ）に対して傾けて形成しているため、第２の要素（５Ａ）は、図１８（ｂ）に示すように、第１の模様（３）の潜像部（３ａ）を構成する第１の要素（３Ａ）及び背景部（３ｂ）を構成する第１の要素（３Ａ）に部分的に重なる配置となった。【０１６２】
このようにして作製した実施例６の潜像模様形成体（１０）を、第２の模様（５）が形成された面の正面から透過光下において観察すると、図２０（ｂ）に示すグラデーションがかかった潜像を観察することができた。
【実施例７】
【０１６３】
実施例７は、実施例１に対して異なる点のみを説明する。実施例７は、第１の模様（３）が第１の要素（３Ａ）を複数配置される構成から成り、第２の模様（５）が、複数配置された第２の要素（５Ａ）の位相を部分的に異ならせることにより潜像部と背景部に区分けされて成る潜像模様形成体（１０）である。【０１６４】
実施例７の第１の要素（３Ａ）は、画線の幅（Ｗ１）を２５０μｍの直線で構成した。そして、第１のピッチ（Ｐ１）を５００μｍとし、第１の要素（３Ａ）を第１の方向に規則的に複数配置して、図１２に示す模様と同様な第１の模様（３）を形成した。【０１６５】
実施例７の第２の要素（５Ａ）は、画線の幅（Ｗ２）を２５０μｍの直線で構成した。そして、第２のピッチ（Ｐ１）を５００μｍとし、第２の要素（５Ａ）を第１の方向と同じ第２の方向に、規則的に複数配置して第２の模様（５）を形成した。さらに、規則的に複数配置した第２の要素（５Ａ）の位相を部分的に異ならせることにより、図１に示す模様と同様な潜像部と背景部から成る第２の模様（５）を形成した。【０１６６】
第１の模様（３）及び第２の模様（５）の配置は、第１の配置を示す図１７に対して第１の要素（３Ａ）と第２の要素（５Ａ）の符号を入れ替えた配置とした。そして、実施例７の潜像模様形成体（１０）を、第２の模様（５）が形成された面の正面から透過光下において観察すると、実施例１と同様の潜像を観察することができた。
【実施例８】
【０１６７】
実施例８は、実施例１に対して異なる点のみを説明する。実施例８は、第１の模様（３）が形成される面に第３の模様（８）が形成される、すなわち、第２の実施の形態における潜像模様形成体（１０）である。【０１６８】
図２８に示す第３の要素（８Ａ）は、画線の幅（Ｗ３）を２５０μｍの直線で構成した。そして、第３のピッチ（Ｐ１）を５００μｍとし、第３の要素（８Ａ）を第１の方向と同じ第３の方向に規則的に複数配置して第３の模様（８）を形成した。なお、第３の模様（８）を構成する色材は、シアンインキ（ＴＫ  ハイユニティネオ  東洋インキ製）を用い、基材（１）に第３の模様（８）をオフセット印刷によって形成した。【０１６９】
第１の要素（３Ａ）、第２の要素（５Ａ）及び第３の要素（８Ａ）の配置は、図３３に示す第３の配置とした。【０１７０】
このようにして作製した実施例８の潜像模様形成体（１０）を、第２の模様（５）が形成された面の正面から反射光下において観察すると、図３８（ａ）に示す第２の模様（５）が観察され、第２の模様（５）が形成された面と反対側の面の正面から反射光下において観察すると、図３８（ｂ）に示す第３の模様（８）がシアンの色で観察された。そして、実施例８の潜像模様形成体（１０）を、第２の模様（５）が形成された面の正面から透過光下において観察すると、図３８（ｃ）に示すように、第３の模様（８）を構成する色材の色で潜像部（３ａ）が観察され、第２の模様（５）が形成された面の反対側の面における正面から透過光下において観察すると、図３８（ｄ）に示すように第３の模様（８）を構成する色材の色で第１の模様（３）が形成されていない領域よりも明るい潜像部（３ａ）を観察することができた。
【実施例９】
【０１７１】
実施例９は、実施例８に対して異なる点のみを説明する。実施例９は、第１の要素（３Ａ）が配置される第１の方向を基準として、第２の要素（５Ａ）が配置される第２の方向と第３の要素（８Ａ）が配置される第３の方向をそれぞれ異ならせた潜像模様形成体（１０）である。【０１７２】
図１３に示す第２の模様（５）は、第１の模様（３）に対して、１度傾けて形成した。また、図２９に示す第３の模様（８）は、第１の模様（３）に対して、マイナス１度傾けて形成した。【０１７３】
第１の模様（３）、第２の模様（５）及び第３の模様（８）の配置は、図３５（ｄ）に示す第５の配置とした。【０１７４】
このようにして作製した実施例９の潜像模様形成体（１０）を、第２の模様（５）が形成された面の正面から透過光下において観察すると、図４０（ｂ）に示すような、第３の模様（８）を構成する色材の色を有するグラデーションがかかった潜像を観察することができた。
【実施例１０】
【０１７５】
実施例１０は、実施例７に対して異なる点のみを説明する。実施例１０は、実施例７に対して、第１の模様（３）が形成される面に、更に実施例８と同様の第３の模様（８）が形成される潜像模様形成体（１０）である。【０１７６】
第１の模様（３）、第２の模様（５）及び第３の模様（８）の配置は、図３３に示す第１の要素（３Ａ）と第２の要素（５Ａ）の符号を入れ替えた配置とした。そして、実施例１０の潜像模様形成体（１０）を、第２の模様（５）が形成された面の正面から透過光下において観察すると、図３８（ｃ）に示す潜像を観察することができた。
【実施例１１】
【０１７７】
実施例１１は、実施例８に対して異なる点のみを説明する。実施例１１は、実施例８に対して、複数配置された第３の要素（８Ａ）の位相を部分的に異ならせることにより、潜像部と背景部に区分けされて成る第３の模様（８）が形成された潜像模様形成体（１０）である。また、第１の方向と第２の方向が同じ方向であり、第３の方向が異なる方向に配置された潜像模様形成体（１０）である。【０１７８】
実施例１１の第３の模様（８）は、画線の幅（Ｗ３）を２５０μｍの直線で構成し、第３の要素（８Ａ）を第３の方向に形成した。そして、第３のピッチ（Ｐ１）を５００μｍとし、第３の要素（８Ａ）を規則的に複数配置して第３の模様（８）を形成した。さらに、規則的に複数配置された第３の要素（８Ａ）の位相を部分的に異ならせることにより、潜像部と背景部に区分けして第３の模様（８）を形成した。なお、潜像部の図柄は、第１の模様（３）に形成した潜像部（３ａ）と略同じ大きさの星型の潜像部とした（図示せず）。【０１７９】
第１の模様（３）、第２の模様（５）及び第３の模様（８）の配置は、図３４（ｂ）に示す第４の配置とした。【０１８０】
このようにして作製した実施例１１の潜像模様形成体（１０）を、第２の模様（５）が形成された面の正面から透過光下において観察すると、図３９（ｂ）に示すような、第３の模様（８）を構成する色材の色を有するグラデーションがかかった潜像を観察することができた。また、第３の模様（８）が形成された面を傾けて反射光下において観察すると星型の潜像の図柄を観察することができた。
【実施例１２】
【０１８１】
実施例１２は、実施例１に対して異なる点のみを説明する。実施例１２は、実施例１の潜像模様形成体（１０）を商品券（１１）に形成し、更に第１の模様（３）を囲むように基材（１）と透過率を部分的に異ならせて第４の模様（７）を形成した例である。【０１８２】
実施例１２の商品券を作製する方法について説明する。まず、図４３に示すように、基材（１）に第１の模様（３）を形成するのと同時に、第１の模様（３）を囲むように第４の模様（７）を透かし模様として形成した。第１の模様（３）の潜像部（３ａ）の図柄は、「ＪＰ」の文字を形成した。第４の模様（７）は、図４３に示すように、一様な白すき模様を形成した。【０１８３】
光遮蔽層には、アルミ層を基材とするＯＶＤ箔（光学的変化素子）を用い、レーザ加工器（レーザマーカ  ＭＤ−Ｖ  キーエンス製）を用い、第２の要素（５Ａ）以外の領域を除去して第２の模様（５）を形成した。図４４に示す第２の要素（５Ａ）は、画線の幅（Ｗ２）を１６５μｍの直線で構成した。そして、第２のピッチ（Ｐ１）を５００μｍとし、第２の要素（５Ａ）を第１の方向と同じ第２の方向に規則的に複数配置して第２の模様（５）を形成した。このとき、第２の模様（５）は、第１の模様（３）と同じ大きさで形成した。なお、ＯＶＤ箔の裏面には、ホットメルト剤を付与し、第２の模様（５）が第１の模様（３）全体を覆うように、ＯＶＤ箔を基材（１）に熱圧着して貼り付けた。【０１８４】
第１の模様（３）及び第２の模様（５）の配置は、図１７に示すように、第１の配置とした。【０１８５】
基材（１）の潜像模様形成体（１０）を形成した別の領域には、オフセット印刷及び凹版印刷により、印刷模様（６）を印刷した。【０１８６】
このようにして作製した実施例１２の潜像模様形成体（１０）を有する商品券（１１）の例を図４５に示す。実施例１２の潜像模様形成体（１０）を有する商品券を反射光下において観察すると、ＯＶＤの有する光学的変化を観察することができ、透過光下において観察すると、図４６に示す「ＪＰ」の文字による潜像と第４の模様（７）を観察することができた。なお、図４５については、説明上、「ＪＰ」の文字を視認することができる図としているが、反射光下では、視認することができない。【０１８７】
このように、実施例１２の構成にすることによって、潜像模様形成体（１０）の構成が複雑になり、さらに、第４の模様（７）を透かし模様によって形成することにより、ＯＶＤを剥離すると、基材（１）が破壊されるため、偽造を困難にさせるとともに、意匠性を向上させることができる。
【実施例１３】
【０１８８】
実施例１３は、実施例１２に対して異なる点のみを説明する。実施例１３は、第４の模様（７）の一部に彩紋模様（７Ａ）を形成し、第１の模様（３）と第４の模様（７）に重畳するように光遮蔽層を基材（１）の上に積層し、第４の模様（７）と重なる部分の光遮蔽層を除去し、透過光下において第４の模様（７）を観察することができる構成とした例である。【０１８９】
図４７に示す彩紋模様（７Ａ）は、第１の模様（３）と第４の模様（７）と同様に、抄紙機における湿紙の段階でプレスマーク技術により透かし模様として形成した。なお、彩紋模様（７Ａ）は、白すき模様に対して、プレスする量を小さくする又は彩紋模様（７Ａ）を除く部分をプレスすることで形成することができ、後者の方法によって彩紋模様（７Ａ）を形成した。【０１９０】
次に、第２の模様（５）が形成されたＯＶＤ箔を、第１の模様（３）と第４の模様（７）に重畳するように基材（１）に積層したときに、第４の模様（７）と重なる部分に相当するＯＶＤ箔のアルミ層を、レーザ加工器（レーザマーカ  ＭＤ−Ｖ  キーエンス製）を用いて除去した。さらに、第４の模様（７）を囲むように、隣接する光遮蔽層の幅を約３ｍｍとし、残りのアルミ層を除去した。このようにして作製されたＯＶＤ箔は、図４８に示すとおりであり、実施例１２と同様に熱圧着してＯＶＤ箔を基材（１）に貼り付けた。【０１９１】
このようにして作製した実施例１３の潜像模様形成体（１０）を有する商品券の例を図４９に示す。実施例１３の潜像模様形成体（１０）を有する商品券を反射光下において観察すると、ＯＶＤの有する光学的変化を観察することができ、透過光下において観察すると、図５０に示す「ＪＰ」の文字による潜像と彩紋模様（７Ａ）を有する第４の模様（７）を観察することができた。なお、実施例１２と同様に、図４９については、説明上、「ＪＰ」の文字を視認することができる図としているが、反射光下では、視認することができない。【０１９２】
このように、実施例１３の構成にすることで、潜像模様形成体（１０）の構成が複雑になることから、より、偽造防止抵抗力が向上するとともに、意匠性を向上させることができる。
【符号の説明】
【０１９３】
１          基材
３          第１の模様
３Ａ          第１の要素
３ａ          潜像部
３ｂ          背景部
４          光遮蔽層
５          第２の模様
５Ａ          第２の要素
６          印刷模様
７          第４の模様
７Ａ          彩紋模様
８          第３の模様
８Ａ          第３の要素
１０          潜像模様形成体
１１          商品券
Ｗ１          画線の幅、画素の高さ
Ｗ１ａ          潜像部の画線の幅、画素の高さ
Ｗ１ｂ          背景部の画線の幅、画素の高さ
Ｘ１          画素の幅
Ｐ１          第１のピッチ
ｐ１          画素のピッチ
Ｗ２          画線の幅、画素の高さ
Ｗ３          画線の幅、画素の高さ
α          第１の要素と第２の要素の傾斜角
β          第１の要素と第３の要素の傾斜角
【図２】
2010110370.tif 000003
【図４】
2010110370.tif 000004
【図５】
2010110370.tif 000005
【図１０】
2010110370.tif 000006
【図２２】
2010110370.tif 000007
【図２３】
2010110370.tif 000008
【図２４】
2010110370.tif 000009
【図２７】
2010110370.tif 000010
【図３０】
2010110370.tif 000011
【図１】
2010110370.tif 000012
【図３】
2010110370.tif 000013
【図６】
2010110370.tif 000014
【図７】
2010110370.tif 000015
【図８】
2010110370.tif 000016
【図９】
2010110370.tif 000017
【図１１】
2010110370.tif 000018
【図１２】
2010110370.tif 000019
【図１３】
2010110370.tif 000020
【図１４】
2010110370.tif 000021
【図１５】
2010110370.tif 000022
【図１６】
2010110370.tif 000023
【図１７】
2010110370.tif 000024
【図１８】
2010110370.tif 000025
【図１９】
2010110370.tif 000026
【図２０】
2010110370.tif 000027
【図２１】
2010110370.tif 000028
【図２５】
2010110370.tif 000029
【図２６】
2010110370.tif 000030
【図２８】
2010110370.tif 000031
【図２９】
2010110370.tif 000032
【図３１】
2010110370.tif 000033
【図３２】
2010110370.tif 000034
【図３３】
2010110370.tif 000035
【図３４】
2010110370.tif 000036
【図３５】
2010110370.tif 000037
【図３６】
2010110370.tif 000038
【図３７】
2010110370.tif 000039
【図３８】
2010110370.tif 000040
【図３９】
2010110370.tif 000041
【図４０】
2010110370.tif 000042
【図４１】
2010110370.tif 000043
【図４２】
2010110370.tif 000044
【図４３】
2010110370.tif 000045
【図４４】
2010110370.tif 000046
【図４５】
2010110370.tif 000047
【図４６】
2010110370.tif 000048
【図４７】
2010110370.tif 000049
【図４８】
2010110370.tif 000050
【図４９】
2010110370.tif 000051
【図５０】
2010110370.tif 000052
【国際調査報告】
2010110370.tif 000053
2010110370.tif 000054
2010110370.tif 000055
2010110370.tif 000056